(57)【要約】      （修正有）【課題】従来からの電動鋸装置は、丸刃を用いた装置は直線的に切断するもの。糸刃を用いた装置は曲線的に切断するもの。バンド式装置は丸鋸と糸鋸の中間的なもので、用いる刃から背の幅の小ささで曲線的にも切断可能なものである。何れの装置も鋸刃の特徴によって使い分ける必要がある。特に電動糸鋸装置は、曲線を自由自在に切れることに加え糸刃の取り外しが容易にでき、他装置ではできない板の中側を種々の型にくり抜き空洞にすることができる。この自由自在に切断できることは、裏返せば板を固定するものが無く不安定であり、規定通りの円形や方形、直線を正確に、しかも滑らかに切断することは至難の業である。【解決手段】電動糸鋸装置のテーブルに伸縮式物差しをはめ込み、板を固定するネジ穴を設けることにより、円形や方形、直線を図面通り正確かつ滑らかに切断できる。また、板を安定にするために背もたれ、角度変更背もたれを取り付けたことにより、丸鋸装置の特徴である直線幅の切断、従来の糸鋸装置では難しかった傾斜角切断も可能にした。また、板を安定さすための背もたれ、角度変更背もたれを取り外すと、糸鋸の特徴である自由自在に切断できることから、装置を使い分ける必要がなくなる。電動バンド式鋸装置のテーブルにも、同様の伸縮式物差しをはめ込むことで円形を図面通り正確かつ滑らかに切断でき、板を安定さすための背もたれ、角度変更背もたれを取り付けることで直線幅の切断、難しかった傾斜角切断も可能にした。【選択図】図１
2005297529.tif 000002
【特許請求の範囲】
【請求項１】
電動卓上糸鋸装置のテーブル上に、糸刃を挟んだ左右前後の四方に切断する板の形や大きさに合わせ、板を固定する機能を移動方式で設置したことを特徴とする電動卓上糸鋸装置。
【請求項２】
前記四方のうち左右二方の固定は、円形の組み合わせによる曲線を正確に切断するために、中心点となる位置に突起物を差し込むものである。糸刃の左右直線上に伸び縮みする物差しをはめ込み、その物差しに中心点となる穴を設け突起物を差し込み、取り付けることを特徴とする請求項１記載の電動卓上糸鋸装置。
【請求項３】
前記四方のうち前後二方の固定は、直線を正確に切断するための基点となる位置に突起物を差し込むものである。糸刃の前後直線上に伸び縮みする物差しをはめ込み、その物差しに穴を設け突起物を差し込み、取り付けることを特徴とする請求項１記載の電動卓上糸鋸装置。
【請求項４】
前記四方のうち左右二方の伸び縮みする物差しに、一定の幅を正確に切断するための移動式背もたれを固定するネジ穴を設け、取り付けることを特徴とする請求項１記載の電動卓上糸鋸装置。
【請求項５】
前記四方のうち前部の伸び縮みする物差しに、斜傾角を正確に切断するための角度変更移動式背もたれを固定するネジ穴を設け、取り付けることを特徴とする請求項１記載の電動卓上糸鋸装置。
【請求項６】
テーブルを回転式にすることで前記
【請求項２】
の伸び縮みする物差しは、
【請求項３】
、
【請求項４】
、
【請求項５】
の機能をもつ請求項１記載の電動卓上糸鋸装置。
【請求項７】
前記
【請求項１】
のテーブルをバンド式鋸装置に取り付けることにより、
【請求項２】
、
【請求項４】
、
【請求項５】
の機能をもつ電動卓上バンド式鋸装置。
【発明の詳細な説明】
【技術分野】
【０００１】  この発明は、電動卓上糸鋸装置の切断機能に関する。
【背景技術】
【０００２】  木板等を切断するのに用いられている従来の電動卓上鋸装置は、図２に示すように丸刃（１）を用いた装置（２−１）とテーブル（１ａ）。糸刃（２）を用いた装置（２−２）とテーブル（２ａ）。刃がベルト状で輪（３）になっているバンド式装置（２−３）とテーブル（３ａ）である。
【発明の開示】
【発明が解決しようとする課題】
【０００３】  しかしながら、以上の電動卓上鋸装置によれば、丸刃を用いたものは直線的に切断するもの。糸刃を用いたものは曲線的に切断するもの。バンド式は、刃がベルト状で輪になっており丸鋸と糸鋸の中間的なもので、用いる刃から背の幅の小ささで曲線的にも切断可能なものである。何れも鋸刃の特徴によって使い分ける必要がある。
特に糸鋸装置は、曲線を自由自在に切れることに加え糸刃の取り外しが容易にでき、他装置ではできない板の中側を種々の型にくり抜き空洞にすることができる。
この自由自在に切断できることは、裏返せば固定になるものが無く不安定である。従って規定通りの円形や方形、直線を正確に、しかも滑らかに切断することは至難の業である。
そこで、この発明は、電動卓上鋸装置を使い分ける必要なく、正確かつ滑らかに切断できる電動卓上糸鋸装置を提供することを課題とする。
【課題を解決するための手段】
【０００４】  以上の課題を解決するために、第一発明は、テーブルに切断する板を固定する機能を設けたことを特徴とする電動卓上糸鋸装置である（図１−１）。
第二発明は、テーブル中央の糸刃を挟み、左右二方に伸び縮みする物差しを設け、この伸び縮みする物差しに円の中心点となる穴を設け、円形曲線を切断するために固定する突起物を差し込むことを特徴とする電動卓上糸鋸装置である（４、４ｃ、５、５ｃ）。
第三発明は、テーブル中央の糸刃を挟み、前後二方に伸び縮みする物差しを設け、この伸び縮みする物差しに穴を設け、切断する直線の前後を固定する突起物を差し込むことを特徴とする電動卓上糸鋸装置である（６、６ｃ、７、７ｃ）。
第四発明は、テーブル中央の糸刃を挟み、左右二方の伸び縮みする物差しにネジ穴を設け、一定の幅を切断するために移動式背もたれを取り付けたことを特徴とする電動卓上糸鋸装置である（４、４ｄ、５、５ｄ）。
第五発明は、テーブル中央の糸刃を挟み、前部の伸び縮みする物差しにネジ穴を設け、斜傾角を切断するために角度変更移動式背もたれを取り付けたことを特徴とする電動卓上糸鋸装置である（６、６ｄ）。
第六発明は、テーブル自体を回転式にすることで、左右二方に伸び縮みする物差しが第三発明、第四発明、第五発明の機能を果たす電動卓上糸鋸装置である。
また、第七発明は、第一発明、第二発明、第四発明、第五発明を装着した電動卓上バンド式鋸装置
【発明の効果】
【０００５】  第一発明、第二発明、第三発明、第四発明、または第五発明によれば、電動卓上糸鋸装置のテーブルに切断する板を固定する突起物を設けたことにより、円形や方形、直線を図面通り正確かつ滑らかに切断でき、背もたれを取り付けたことにより丸鋸装置の特徴である一定幅の直線切断、傾斜角切断も可能にした。また固定に用いる突起物、背もたれを外すと糸鋸の特徴である自由自在の切断が可能となり、装置を使い分ける必要のない電動卓上糸鋸装置である。
第六発明によれば、テーブルを回転式にすることで左右、前後何れかの伸び縮みする物差しで他方の機能も果たす電動卓上糸鋸装置である。
また第七発明によれば、バンド式鋸装置のテーブルに板を固定する突起物、背もたれを設けたことにより、円形や方形、直線幅や斜傾角を図面通り正確かつ滑らかに切断できる電動卓上バンド式鋸装置である。
【発明を実施するための最良の形態】
【０００６】  この発明の一実施形態を示す。
一般によく用いられている鋸には、直線に切る鋸と曲線に切る鋸がある。
直線に切る鋸の特徴は、刃から背への幅が広いことにある。背が切り口側面に当たらないように引くことで直線に切れて行くが、曲げ切ろうとすると背が切り口側面に当り切れなくなる。より直線的に切るには、切る板に対し鋸の引く角度を下げ、刃から背への幅をより広くすることにある。
曲線に切る鋸の特徴は、刃から背への幅が狭いことにある。背が切り口側面に当たらない範囲で曲げて引けば曲線に切れて行くが、曲線に切れる小ささは刃から背への幅の小ささに比例する。従って、切る板に対し鋸の引く角度は直角にして上に引くことで、より曲線に切れる。
これらの特徴を生かした電動卓上鋸装置（図２）のうち、「丸刃」を用いたものは直線に切断することを目的にした装置（２−１）である。刃から背への幅が狭い「糸刃」を用いたものは曲線に切断することを目的にした装置（２−２）である。また、「バンド式」は刃がベルト状で輪になっており丸鋸と糸鋸の中間的なもので、用いる刃から背の幅の小ささで曲線的にも切断できる装置（２−３）である。
電動卓上糸鋸装置の特徴は、曲線を自由自在に切れることに加え、糸刃の取り外しが容易にできることにある。このことにより「丸鋸装置」や「バンド式装置」では、できない板の中側を種々の形に切り抜き空洞にすることにある。
しかしながら、この自由自在に切断できることは、裏返せば板を固定するものが無く不安定である。そのため円形や方形、直線を図面通り正確かつ滑らかに切断することは至難の業である。
今回、発明した電動卓上糸鋸装置は、テーブル中央の上下に張られた糸刃を挟み、左右前後の四方に切断する板の形や大きさに合わせ、板を固定する移動方式突起物、移動方式の背もたれ、角度変更移動方式の背もたれを設置したことにある。
この発明により、糸鋸の自由自在に切断できる従来の特徴に加え、円形を利用した曲線・方形等に用いる直線を規定通り簡単容易に、しかも滑らかに切断でき、あらたに一定の直線幅の切断、傾斜角の切断も正確にできることにある。
図１は、発明した電動卓上糸鋸装置のテーブル（１−１）である。テーブル中央の上下に張られた糸刃（２）を挟み、左右前後の四方に伸び縮みする物差し（４、５、６、７）を設けている。
図１−２は、糸刃（２）を挟み右側に設けた伸び縮みする物差し（５）の拡大図である。物差しは複数のネジ（５ｅ）でテーブルに固定しており、伸び縮みは二段式になっている。
一段目物差し（５ａ）には、板を固定する突起物（１０）を差し込む穴（５ｃ）と、板の背もたれを固定するネジ穴（５ｄ）を設けている。
二段目（５ｂ）は、大きな板を切断するときに引き伸ばし、一段目の物差しも伸ばすことで糸刃からの位置をより離すことができる。
一段目、二段目物差しを、それぞれの位置に固定するネジ（５ｆ、５ｇ）は、物差しの裏側に設けている。図１−３は断面図である。
これらの機能は、四方に設けた伸び縮みする物差し（４、５、６、７）に共通しているが、糸刃の後側（７）に設けた伸び縮みする物差しには、背もたれを固定するネジ穴は無くても良い。
図３は、板を一定の幅に切断するときに用いる背もたれ（８）図である。３−１はネジ止め側面図、（３−２）は背もたれを糸刃を挟み左側に設けた伸び縮みする物差し（４）の一段目（４ａ）のネジ穴（４ｄ）にネジ（４ｄ′）で止めた状態と、その断面図（３−３）である。
図４は、板を傾斜角に切断するときに用いる背もたれ（９）図である。４−１はネジ止め側面図、４−２は背もたれ（９）を糸刃を挟み前側に設けた伸び縮みする物差し（６）の一段目（６ａ）のネジ穴（６ｄ）にネジ（６ｄ′）で止めた状態と、その断面図（４−３）である。【０００７】  円形の切断方法（図５）
１．切断する板上（１１）に、コンパスを使って直接円を書くか、または紙上に書いた円を板に貼り付ける。
２．円の中心点▲１▼に突起物を刺す穴を貫通さす。
３．円線の一カ所Ａ点に糸刃を通す穴を貫通さす。
４．糸刃の左右何れかの物差しの穴に突起物を刺し固定するか決める。一段目物差し（４ａ）の穴（４ｃ）を円の中心点（Ｘｃｍ）まで伸ばし、物差しの裏側にあるネジ（４ｇ・４ｆ）で固定する。
５．円線上に貫通した穴（Ａ）に糸刃を通し固定する。
６．円の中心点に突起物を刺し通し一段目物差しの穴（４ｃ）に差し込む。
７．突起物を刺した中心点を基軸に、板を左回りに押しながら切断し始める。【０００８】  直線の切断方法（図６）
１．切断する板上（１１）に、定規を使って直接直線を書くか、または紙上に書いた直線を板に貼り付ける。
２．直線の切断始点Ａと終点Ｂに糸刃を通す穴を貫通さす。
３．直線の前後延長線上に突起物を刺す穴を二カ所▲１▼、▲２▼貫通さす（糸刃（２）から一段目物差しの穴（７ｃ）までの長さが最低必要である）。
４．直線の始点に貫通した穴に糸刃を通し固定する。
５．直線の前後延長線上の二カ所に突起物を刺し通す
６．直線の前部延長線上に刺し通した突起物は、糸刃の後部一段目物差し（７ａ）の穴（７ｃ）に差し込む。直線の後部延長線上に刺し通した突起物は、糸刃の前部一段目物差し（６ａ）を伸ばし位置を合わせ穴（６ｃ）に差し込む。
７．板を押しながら切断し始める。糸刃前後の物差しは、むら無くスムーズに伸び縮みすることが重要でありネジ固定はしない。【０００９】  円の大小組み合わせと直線を、組み合わせた線図を切断するときの事例（図７−１）
１．切断する板上に、コンパスと定規を使って直接線図を書くか、または紙上に書いた線図を板に貼り付ける。
２．線図の切り始めるＡ点、終了するＥ点に糸刃を通す穴を開ける。
３．円曲線の中心点（半径点）となる▲１▼、▲２▼、▲３▼に突起物を刺す穴を貫通する。次に直線に切断するＤ〜Ｅの延長した点▲４▼（７ｃから糸刃までの長さが必要）、▲５▼（糸刃から６ｃまでの長さが必要）にも同様の穴を開ける。
４．切り始めるＡ点に糸刃を通し、糸刃を固定する。
５．貫通した▲１▼に突起物を刺し、板を貫通し先端が下に出ていることを確認する。
６．Ａ点からの曲線は右回り切断になる。糸刃の左側の一段目物差しを伸ばし穴（４ｃ）をＸｃｍ移動して固定する。▲１▼に刺した突起物の先端を穴にはめ込み曲線の切断軸とし、切り始めＢ点に到達したら一時停止。
７．Ｂ点からの曲線は左回りの切断になる。糸刃の右側の一段目物差しを伸ばし穴（５ｃ）をＸ’ｃｍ移動して固定する。▲１▼に刺した突起物を外し▲２▼に刺し変え、穴（５ｃ）にはめ込み曲線の切断軸として切っていき、Ｃ点に到達したら一時停止。
８．Ｃ点からの曲線も左回りの切断になる。▲２▼に刺した突起物を外し糸刃の右側の１段目物差しの穴（５ｃ）をＸ”ｃｍ移動して固定する。突起物を▲３▼に刺し変え、穴（５ｃ）にはめ込み曲線の切断軸として切っていき、Ｄ点に到達したら一時停止。
９．Ｄ点からは直線の切断になる。突起物を穴（５ｃ）と▲３▼からも外し、直線に切断するＤ〜Ｅの延長点▲４▼、▲５▼に、それぞれ突起物を刺す。▲４▼に刺した突起物は、糸刃の後部物差しの穴（７ｃ）にはめ込む。▲５▼に刺した突起物は、糸刃の前部物差しを伸ばし穴（６ｃ）にはめ込む（６、７の物差しは、固定せず滑らかに伸び縮することが必要）。
１０．再度切り始めＥ点に達したら停止し糸刃を抜き取る（線図切断終了）。【００１０】  三角形の中側を円形に切り抜くときの事例（図７−２）
１．切断する板上に、コンパスと定規を使って三角形と中に円形図を直接書くか、または紙上に書いた図を板に貼り付ける。
２．三角形のＦ点、Ｇ点、Ｈ点に糸刃を通す穴を開け、次に円形を切り始めるＩ点にも糸刃を通す穴を開ける。
３．直線に切断するＦ〜Ｇ、Ｇ〜Ｈ、Ｈ〜Ｆの延長した点（▲１▼、▲３▼、▲５▼は７ｃから糸刃までの長さが最低必要。▲２▼、▲４▼、▲６▼は糸刃から６ｃまでの長さが最低必要）に突起物を刺す穴を貫通する。
４．円形に切り抜く中心点となる▲７▼にも突起物を刺す穴を貫通する。
５．三角形の切り始めるＦ点に糸刃を通し、糸刃を固定する。
６．貫通した▲１▼、▲２▼に、それぞれ突起物を刺す。▲１▼に刺した突起物は、糸刃の後部物差しの穴（７ｃ）にはめ込み、▲２▼に刺した突起物は、糸刃の前部物差しを伸ばし穴（６ｃ）にはめ込み、切り始めＧ点に達したら一時停止する。
７．突起物を穴（７ｃ、６ｃ）と▲１▼、▲２▼から抜き取り、▲３▼、▲４▼に刺し変え板を回転して▲３▼は７ｃの穴、▲４▼は６ｃの穴にはめ込み、切り始めＣ点に達したら一時停止する。
８．突起物を穴（７ｃ、６ｃ）と▲３▼、▲４▼から抜き取り、▲５▼、▲６▼に刺し変え板を回転して▲５▼は７ｃの穴、▲６▼は６ｃの穴にはめ込み、切り始めＡ点に達したら停止し糸刃を抜き取る（三角形の切断完了）。
９．三角形中側の円形を切り始めるＩ点に糸刃を通し、糸刃を固定する。
１０．円形の中心点となる▲７▼に突起物を刺す。
１１．糸刃の左、右側何れかの一段目物差しの穴を円形の中心点となるＸｃｍ移動して固定する（円形切断を左、右回りするかによる）。
１２．▲７▼に刺した突起物を左、右側何れかの一段目物差しの穴にはめ込み、切り始め一周したら停止し糸刃を抜き取る（円形の切り抜き完了）。
１３．図形（７−２）の場合、最初に円形を切り抜き次に三角形を切断してもよい。【００１１】  円形の中側を三角形に切り抜くときの事例（図７−３）
１．切断する板上に、コンパスと定規を使って円形図と中に三角形を直接書くか、または紙上に書いた図を板に貼り付ける。
２．三角点Ｊ、Ｋ、Ｌから、それぞれ約５ｍｍ程度離れたｊ点、ｋ点、ｌ点と円形を切り始めるＭ点にも糸刃を通す穴を開ける。
３．直線に切断するＪ〜Ｋ、Ｋ〜Ｌ、Ｌ〜Ｊの延長した点（▲１▼、▲３▼、▲５▼は７ｃから糸刃までの長さが必要。▲２▼、▲４▼、▲６▼は糸刃から６ｃまでの長さが必要）と円形の中心点となる▲７▼にも突起物を刺す穴を貫通する。
４．三角形の切り始めるｊ点に糸刃を通し、糸刃を固定する。
５．突起物をそれぞれ▲１▼、▲２▼に刺す。▲１▼に刺した突起物は、糸刃の後部物差しの穴（７ｃ）にはめ込み、▲２▼に刺した突起物は、糸刃の前部物差しを伸ばし穴（６ｃ）にはめ込み、切り始めＫ点に達したら一時停止し糸刃を抜き取る。
６．次に三角形のｋ点に糸刃を通し、糸刃を固定する。
７．突起物を穴（７ｃ、６ｃ）と▲１▼、▲２▼から抜き取り、▲３▼、▲４▼に刺し変える。板を回転して▲３▼は７ｃの穴、▲４▼は６ｃの穴にはめ込み、切り始めＬ点に達したら一時停止し糸刃を抜き取る。
８．三角形のｌ点に糸刃を通し、糸刃を固定する。
９．突起物を穴（７ｃ、６ｃ）と▲３▼、▲４▼から抜き取り、▲５▼、▲６▼に刺し変える。板を回転して▲５▼は７ｃの穴、▲６▼は６ｃの穴にはめ込み、切り始めＪ点に達したら一時停止し糸刃を抜き取る。
１０．次に円形の中心点となる▲７▼に突起物を刺す。
１１．糸刃の左、右側何れかの一段目物差しの穴を円形の中心点となるＸｃｍ移動して固定する（円形切断を左、右回りするかによる）。
１２．▲７▼に刺した突起物を左、右側何れかの一段目物差しの穴にはめ込み、切り始め一周したら停止し糸刃を外し突起物も外す（円形の切断完了）。
１３．次に三角形の切り始めるｊ点に糸刃を通し、糸刃を固定する。
１４．ｊ点からＪ点まで残した約５ｍｍをフリーハンドで切断し一時停止する。
１５．板を回転して糸刃をｌ点までもっていきＬ点までフリーハンドで切断し一時停止する。
１６．次に板を回転して糸刃をｋ点までもっていきＫ点までフリーハンドで切断し停止する（三角形の切り抜き完了）。
１７．図７−３の場合は、円形の中心点となる▲７▼を最後まで残すことが重要である。
また、▲１▼、▲２▼、▲３▼、▲４▼、▲５▼、▲６▼の穴位置を円形の内にした場合、円形の切断を先に行っても良いが、穴の痕跡が残り埋める必要ある。【００１２】  一定幅の切断方法（図８）
１．曲線切断に用いる左側物差し一段目（４ａ）の穴（４ｄ）に、背もたれ（８）を糸刃に対し平行になるように、ネジ４ｄ′）で固定する（利き腕によって左右側を選択する）。
２．切断する板幅に合わせ物差しを伸ばし、裏側のネジ（４ｇ、４ｆ）で固定する。
３．板（１１）を背もたれに密着して板を押して切断していく。
４．直線幅の最小切断は、背もたれが糸刃に接触しない範囲（８−１）まで可能であり、板の大きさにより背もたれを前方に引き固定する（８−２）。【００１３】  斜傾角の切断方法（図９）
１．直線切断に用いる前部物差しの一段目（６ａ）の穴（６ｄ）に、角度変更付背もたれ（９）を取り付け、切断する板の傾斜角に合わせ、背もたれの角度を変えネジ（６ｄ′）で固定する。
２．物差しを押して糸刃に背もたれが接触しないか確認する。
３．物差しを手前に伸ばし、切断する板を置く。
４．板を背もたれに密着して物差しと共に押して切断していく。
５．斜傾角の切断範囲は、背もたれを角度変更して糸刃に接触しない範囲まで可能で、（９−１）は９０度切断、（９−２）は３０度切断である。【００１４】「実施形態の効果」
この電動卓上糸鋸装置を使用すれば、糸鋸の自由自在に切断できる従来の特徴に加え、円形を利用した曲線、方形等に用いる直線を規定通りに、簡単容易かつ滑らかに切断できる。あらたに直線幅の切断、傾斜角切断も正確にできることにより、電動卓上鋸装置を使い分ける必要がなくなった。【００１５】「他の実施形態」
電動卓上糸鋸装置のテーブルを回転式にすることで、左右、前後何れかの伸び縮みする物差しで他方の機能も果たすことができる。また、電動卓上バンド式鋸装置のテーブルに板を固定する突起物、背もたれを設けることにより、円形や方形、直線幅や斜傾角を図面通り正確かつ滑らかに切断できるようになる。
【図面の簡単な説明】
【００１６】
【図１】電動卓上糸鋸装置の発明テーブル図  １−１伸び縮みする物差しを四方に設けたテーブル図  １−２右側の伸び縮みする物差しの拡大図  １−３同伸び縮みする物差しの断面図
【図２】従来の電動卓上鋸装置図  ２−１電動卓上丸鋸装置図  ２−２電動卓上糸鋸装置図  ２−３電動卓上バンド式鋸装置図
【図３】一定幅の切断にもちいる背もたれ図  ３−１背もたれの前面図  ３−２左側の物差しに固定した背もたれ図  ３−３同側面図
【図４】傾斜角の切断にもちいる背もたれ図  ４−１背もたれの前面図  ４−２前側の物差しに固定した背もたれ図  ４−３同側面図
【図５】円線の切断図
【図６】直線の切断図
【図７】線図・形図の切断図  ７−１円線と直線組み合わせ切断図  ７−２三角形と円のくり抜き切断図  ７−３円と三角形のくり抜き切断図
【図８】一定幅の直線切断図  ８−１狭い一定幅の切断図  ８−２広い一定幅の切断図
【図９】傾斜角切断図  ９−１  ９０度角の切断図  ９−２  ３０度角の切断図
【符号の説明】
【００１７】  １  電動卓上丸鋸装置の丸刃
１ａ  電動卓上丸鋸装置のテーブル
２  電動卓上糸鋸装置の糸刃
２ａ  電動卓上糸鋸装置のテーブル
３  電動卓上バンド式鋸装置のベルト状輪刃
３ａ  電動卓上バンド式鋸装置のテーブル
４  糸刃左側の伸び縮みする物差し
４ａ  同一段目物差し
４ｂ  同二段目物差し
４ｃ  同一段目物差しに突起物を刺す穴
４ｄ  同一段目物差しに背もたれを固定するネジ穴
４ｄ′  同ネジ
５  糸刃右側の伸び縮みする物差し
５ａ  同一段目物差し
５ｂ  同二段目物差し
５ｃ  同一段目物差しに突起物を刺す穴
５ｄ  同一段目物差しに背もたれを固定するネジ穴
５ｅ  同テーブルに固定するネジ
５ｆ  同二段目物差しを固定するネジ
５ｇ  同一段目物差しを固定するネジ
５ｈ  同外枠
６  糸刃前側の伸び縮みする物差し
６ａ  同一段目物差し
６ｂ  同二段目物差し
６ｃ  同一段目物差しに突起物を刺す穴
６ｄ  同一段目物差しに背もたれを固定するネジ穴
６ｄ′  同背もたれを固定するネジ
７  糸刃後側の伸び縮みする物差し
７ｃ  同一段目物差しに突起物を刺す穴
８  一定幅切断の背もたれ
９  傾斜角切断の背もたれ
１０  板を固定する突起物
１０ａ  板に突起物を刺す穴
１１  切断する板
【図１】
2005297529.tif 000003
【図２】
2005297529.tif 000004
【図３】
2005297529.tif 000005
【図４】
2005297529.tif 000006
【図５】
2005297529.tif 000007
【図６】
2005297529.tif 000008
【図７】
2005297529.tif 000009
【図８】
2005297529.tif 000010
【図９】
2005297529.tif 000011
【手続補正書】
【提出日】平成16年6月25日(2004.6.25)
【手続補正１】
【補正対象書類名】明細書
【補正対象項目名】全文
【補正方法】変更
【補正の内容】
【発明の詳細な説明】
【技術分野】
【０００１】            この発明は、電動糸鋸装置の切断機能に関する。
【背景技術】
【０００２】            木板等を切断するのに用いられている従来の電動鋸装置は、図２に示すように丸刃（１）を用いた装置（２−１）とテーブル（１ａ）。糸刃（２）を用いた装置（２−２）とテーブル（２ａ）。刃がベルト状で輪（３）になっているバンド式装置（２−３）とテーブル（３ａ）である。
【発明の開示】
【発明が解決しようとする課題】
【０００３】            しかしながら、以上の電動鋸装置によれば、丸刃を用いたものは直線的に切断するもの。糸刃を用いたものは曲線的に切断するもの。バンド式は、刃がベルト状で輪になっており丸鋸と糸鋸の中間的なもので、用いる刃から背の幅の小ささで曲線的にも切断可能なものである。何れも鋸刃の特徴によって使い分ける必要がある。
特に糸鋸装置は、曲線を自由自在に切れることに加え糸刃の取り外しが容易にでき、他装置ではできない板の中側を種々の型にくり抜き空洞にすることができる。
この自由自在に切断できることは、裏返せば固定になるものが無く不安定である。従って規定通りの円形や方形、直線を正確に、しかも滑らかに切断することは至難の業である。
そこで、この発明は、電動鋸装置を使い分ける必要なく、正確かつ滑らかに切断できる電動糸鋸装置を提供することを課題とする。
【課題を解決するための手段】
【０００４】            以上の課題を解決するために、第一発明は、テーブルに切断する板を固定する機能を設けたことを特徴とする電動糸鋸装置である（図１  １−１）。
第二発明は、テーブル中央の糸刃を挟み、左右二方に伸び縮みする物差しを設け、この伸び縮みする物差しに円の中心点となる穴を設け、円形曲線を切断するために固定する突起物を差し込むことを特徴とする電動糸鋸装置である（４、４ｃ、５、５ｃ）。
第三発明は、テーブル中央の糸刃を挟み、前後二方に伸び縮みする物差しを設け、この伸び縮みする物差しに穴を設け、切断する直線の前後を固定する突起物を差し込むことを特徴とする電動糸鋸装置である（６、６ｃ、７、７ｃ）。
第四発明は、テーブル中央の糸刃を挟み、左右二方の伸び縮みする物差しにネジ穴を設け、一定の幅を切断するために移動式背もたれを取り付けたことを特徴とする電動糸鋸装置である（４、４ｄ、５、５ｄ）。
第五発明は、テーブル中央の糸刃を挟み、前部の伸び縮みする物差しにネジ穴を設け、斜傾角を切断するために角度変更移動式背もたれを取り付けたことを特徴とする電動糸鋸装置である（６、６ｄ）。
第六発明は、テーブル自体を回転式にすることで、左右二方に伸び縮みする物差しが第三発明、第四発明、第五発明の機能を果たす電動糸鋸装置である。
また、第七発明は、第一発明、第二発明、第四発明、第五発明を装着した電動バンド式鋸装置
【発明の効果】
【０００５】            第一発明、第二発明、第三発明、第四発明、または第五発明によれば、電動糸鋸装置のテーブルに切断する板を固定する突起物を設けたことにより、円形や方形、直線を図面通り正確かつ滑らかに切断でき、背もたれを取り付けたことにより丸鋸装置の特徴である一定幅の直線切断、傾斜角切断も可能にした。また固定に用いる突起物、背もたれを外すと糸鋸の特徴である自由自在の切断が可能となり、装置を使い分ける必要のない電動糸鋸装置である。
第六発明によれば、テーブルを回転式にすることで左右、前後何れかの伸び縮みする物差しで他方の機能も果たす電動糸鋸装置である。
また第七発明によれば、バンド式鋸装置のテーブルに板を固定する突起物、背もたれを設けたことにより、円形や方形、直線幅や斜傾角を図面通り正確かつ滑らかに切断できる電動バンド式鋸装置である。
【発明を実施するための最良の形態】
【０００６】            この発明の一実施形態を示す。
一般によく用いられている鋸には、直線に切る鋸と曲線に切る鋸がある。
直線に切る鋸の特徴は、刃から背への幅が広いことにある。背が切り口側面に当たらないように引くことで直線に切れて行くが、曲げ切ろうとすると背が切り口側面に当り切れなくなる。より直線的に切るには、切る板に対し鋸の引く角度を下げ、刃から背への幅をより広くすることにある。
曲線に切る鋸の特徴は、刃から背への幅が狭いことにある。背が切り口側面に当たらない範囲で曲げて引けば曲線に切れて行くが、曲線に切れる小ささは刃から背への幅の小ささに比例する。従って、切る板に対し鋸の引く角度は直角にして上に引くことで、より曲線に切れる。
これらの特徴を生かした電動鋸装置（図２）のうち、「丸刃」を用いたものは直線に切断することを目的にした装置（２−１）である。刃から背への幅が狭い「糸刃」を用いたものは曲線に切断することを目的にした装置（２−２）である。また、「バンド式」は刃がベルト状で輪になっており丸鋸と糸鋸の中間的なもので、用いる刃から背の幅の小ささで曲線的にも切断できる装置（２−３）である。
電動糸鋸装置の特徴は、曲線を自由自在に切れることに加え、糸刃の取り外しが容易にできることにある。このことにより「丸鋸装置」や「バンド式装置」では、できない板の中側を種々の形に切り抜き空洞にすることにある。
しかしながら、この自由自在に切断できることは、裏返せば板を固定するものが無く不安定である。そのため円形や方形、直線を図面通り正確かつ滑らかに切断することは至難の業である。
今回、発明した電動糸鋸装置は、テーブル中央の上下に張られた糸刃を挟み、左右前後の四方に切断する板の形や大きさに合わせ、板を固定する移動方式突起物、移動方式の背もたれ、角度変更移動方式の背もたれを設置したことにある。
この発明により、糸鋸の自由自在に切断できる従来の特徴に加え、円形を利用した曲線・方形等に用いる直線を規定通り簡単容易に、しかも滑らかに切断でき、あらたに一定の直線幅の切断、傾斜角の切断も正確にできることにある。
図１は、発明した電動糸鋸装置のテーブル（１−１）である。テーブル中央の上下に張られた糸刃（２）を挟み、左右前後の四方に伸び縮みする物差し（４、５、６、７）を設けている。
図１−２は、糸刃（２）を挟み右側に設けた伸び縮みする物差し（５）の拡大図である。物差しは複数のネジ（５ｅ）でテーブルに固定しており、伸び縮みは二段式になっている。
一段目物差し（５ａ）には、板を固定する突起物（１０）を差し込む穴（５ｃ）と、板の背もたれを固定するネジ穴（５ｄ）を設けている。
二段目（５ｂ）は、大きな板を切断するときに引き伸ばし、一段目の物差しも伸ばすことで糸刃からの位置をより離すことができる。
一段目、二段目物差しを、それぞれの位置に固定するネジ（５ｆ、５ｇ）は、物差しの裏側に設けている。図１−３は断面図である。
これらの機能は、四方に設けた伸び縮みする物差し（４、５、６、７）に共通しているが、糸刃の後側（７）に設けた伸び縮みする物差しには、背もたれを固定するネジ穴は無くても良い。
図３は、板を一定の幅に切断するときに用いる背もたれ（８）図である。３−１はネジ止め側面図、（３−２）は背もたれを糸刃を挟み左側に設けた伸び縮みする物差し（４）の一段目（４ａ）のネジ穴（４ｄ）にネジ（４ｄ′）で止めた状態と、その断面図（３−３）である。
図４は、板を傾斜角に切断するときに用いる背もたれ（９）図である。４−１はネジ止め側面図、４−２は背もたれ（９）を糸刃を挟み前側に設けた伸び縮みする物差し（６）の一段目（６ａ）のネジ穴（６ｄ）にネジ（６ｄ′）で止めた状態と、その断面図（４−３）である。【０００７】円形の切断方法（図５）
１．切断する板上（１１）に、コンパスを使って直接円を書くか、または紙上に書いた円を板に貼り付ける。
２．円の中心点▲１▼に突起物を刺す穴を貫通さす。
３．円線の一カ所Ａ点に糸刃を通す穴を貫通さす。
４．糸刃の左右何れかの物差しの穴に突起物を刺し固定するか決める。一段目物差し（４ａ）の穴（４ｃ）を円の中心点（Ｘｃｍ）まで伸ばし、物差しの裏側にあるネジ（４ｇ・４ｆ）で固定する。
５．円線上に貫通した穴（Ａ）に糸刃を通し固定する。
６．円の中心点に突起物を刺し通し一段目物差しの穴（４ｃ）に差し込む。
７．突起物を刺した中心点を基軸に、板を左回りに押しながら切断し始める。【０００８】直線の切断方法（図６）
１．切断する板上（１１）に、定規を使って直接直線を書くか、または紙上に書いた直線を板に貼り付ける。
２．直線の切断始点Ａと終点Ｂに糸刃を通す穴を貫通さす。
３．直線の前後延長線上に突起物を刺す穴を二カ所▲１▼、▲２▼貫通さす（糸刃（２）から一段目物差しの穴（７ｃ）までの長さが最低必要である）。
４．直線の始点に貫通した穴に糸刃を通し固定する。
５．直線の前後延長線上の二カ所に突起物を刺し通す
６．直線の前部延長線上に刺し通した突起物は、糸刃の後部一段目物差し（７ａ）の穴（７ｃ）に差し込む。直線の後部延長線上に刺し通した突起物は、糸刃の前部一段目物差し（６ａ）を伸ばし位置を合わせ穴（６ｃ）に差し込む。
７．板を押しながら切断し始める。糸刃前後の物差しは、むら無くスムーズに伸び縮みすることが重要でありネジ固定はしない。【０００９】円の大小組み合わせと直線を、組み合わせた線図を切断するときの事例（図７−１）
１．切断する板上に、コンパスと定規を使って直接線図を書くか、または紙上に書いた線図を板に貼り付ける。
２．線図の切り始めるＡ点、終了するＥ点に糸刃を通す穴を開ける。
３．円曲線の中心点（半径点）となる▲１▼、▲２▼、▲３▼に突起物を刺す穴を貫通する。次に直線に切断するＤ〜Ｅの延長した点▲４▼（７ｃから糸刃までの長さが必要）、▲５▼（糸刃から６ｃまでの長さが必要）にも同様の穴を開ける。
４．切り始めるＡ点に糸刃を通し、糸刃を固定する。
５．貫通した▲１▼に突起物を刺し、板を貫通し先端が下に出ていることを確認する。
６．Ａ点からの曲線は右回り切断になる。糸刃の左側の一段目物差しを伸ばし穴（４ｃ）をＸｃｍ移動して固定する。▲１▼に刺した突起物の先端を穴にはめ込み曲線の切断軸とし、切り始めＢ点に到達したら一時停止。
７．Ｂ点からの曲線は左回りの切断になる。糸刃の右側の一段目物差しを伸ばし穴（５ｃ）をＸ’ｃｍ移動して固定する。▲１▼に刺した突起物を外し▲２▼に刺し変え、穴（５ｃ）にはめ込み曲線の切断軸として切っていき、Ｃ点に到達したら一時停止。
８．Ｃ点からの曲線も左回りの切断になる。▲２▼に刺した突起物を外し糸刃の右側の１段目物差しの穴（５ｃ）をＸ”ｃｍ移動して固定する。突起物を▲３▼に刺し変え、穴（５ｃ）にはめ込み曲線の切断軸として切っていき、Ｄ点に到達したら一時停止。
９．Ｄ点からは直線の切断になる。突起物を穴（５ｃ）と▲３▼からも外し、直線に切断するＤ〜Ｅの延長点▲４▼、▲５▼に、それぞれ突起物を刺す。▲４▼に刺した突起物は、糸刃の後部物差しの穴（７ｃ）にはめ込む。▲５▼に刺した突起物は、糸刃の前部物差しを伸ばし穴（６ｃ）にはめ込む（６、７の物差しは、固定せず滑らかに伸び縮することが必要）。
１０．再度切り始めＥ点に達したら停止し糸刃を抜き取る（線図切断終了）。【００１０】三角形の中側を円形に切り抜くときの事例（図７−２）
１．切断する板上に、コンパスと定規を使って三角形と中に円形図を直接書くか、または紙上に書いた図を板に貼り付ける。
２．三角形のＦ点、Ｇ点、Ｈ点に糸刃を通す穴を開け、次に円形を切り始めるＩ点にも糸刃を通す穴を開ける。
３．直線に切断するＦ〜Ｇ、Ｇ〜Ｈ、Ｈ〜Ｆの延長した点（▲１▼、▲３▼、▲５▼は７ｃから糸刃までの長さが最低必要。▲２▼、▲４▼、▲６▼は糸刃から６ｃまでの長さが最低必要）に突起物を刺す穴を貫通する。
４．円形に切り抜く中心点となる▲７▼にも突起物を刺す穴を貫通する。
５．三角形の切り始めるＦ点に糸刃を通し、糸刃を固定する。
６．貫通した▲１▼、▲２▼に、それぞれ突起物を刺す。▲１▼に刺した突起物は、糸刃の後部物差しの穴（７ｃ）にはめ込み、▲２▼に刺した突起物は、糸刃の前部物差しを伸ばし穴（６ｃ）にはめ込み、切り始めＧ点に達したら一時停止する。
７．突起物を穴（７ｃ、６ｃ）と▲１▼、▲２▼から抜き取り、▲３▼、▲４▼に刺し変え板を回転して▲３▼は７ｃの穴、▲４▼は６ｃの穴にはめ込み、切り始めＣ点に達したら一時停止する。
８．突起物を穴（７ｃ、６ｃ）と▲３▼、▲４▼から抜き取り、▲５▼、▲６▼に刺し変え板を回転して▲５▼は７ｃの穴、▲６▼は６ｃの穴にはめ込み、切り始めＡ点に達したら停止し糸刃を抜き取る（三角形の切断完了）。
９．三角形中側の円形を切り始める１点に糸刃を通し、糸刃を固定する。
１０．円形の中心点となる▲７▼に突起物を刺す。
１１．糸刃の左、右側何れかの一段目物差しの穴を円形の中心点となるＸｃｍ移動して固定する（円形切断を左、右回りするかによる）。
１２．▲７▼に刺した突起物を左、右側何れかの一段目物差しの穴にはめ込み、切り始め一周したら停止し糸刃を抜き取る（円形の切り抜き完了）。
１３．図形（７−２）の場合、最初に円形を切り抜き次に三角形を切断してもよい。【００１１】円形の中側を三角形に切り抜くときの事例（図７−３）
１．切断する板上に、コンパスと定規を使って円形図と中に三角形を直接書くか、または紙上に書いた図を板に貼り付ける。
２．三角点Ｊ、Ｋ、Ｌから、それぞれ約５ｍｍ程度離れたｊ点、ｋ点、ｌ点と円形を切り始めるＭ点にも糸刃を通す穴を開ける。
３．直線に切断するＪ〜Ｋ、Ｋ〜Ｌ、Ｌ〜Ｊの延長した点（▲１▼、▲３▼、▲５▼は７ｃから糸刃までの長さが必要。▲２▼、▲４▼、▲６▼は糸刃から６ｃまでの長さが必要）と円形の中心点となる▲７▼にも突起物を刺す穴を貫通する。
４．三角形の切り始めるｊ点に糸刃を通し、糸刃を固定する。
５．突起物をそれぞれ▲１▼、▲２▼に刺す。▲１▼に刺した突起物は、糸刃の後部物差しの穴（７ｃ）にはめ込み、▲２▼に刺した突起物は、糸刃の前部物差しを伸ばし穴（６ｃ）にはめ込み、切り始めＫ点に達したら一時停止し糸刃を抜き取る。
６．次に三角形のｋ点に糸刃を通し、糸刃を固定する。
７．突起物を穴（７ｃ、６ｃ）と▲１▼、▲２▼から抜き取り、▲３▼、▲４▼に刺し変える。板を回転して▲３▼は７ｃの穴、▲４▼は６ｃの穴にはめ込み、切り始めＬ点に達したら一時停止し糸刃を抜き取る。
８．三角形のｌ点に糸刃を通し、糸刃を固定する。
９．突起物を穴（７ｃ、６ｃ）と▲３▼、▲４▼から抜き取り、▲５▼、▲６▼に刺し変える。板を回転して▲５▼は７ｃの穴、▲６▼は６ｃの穴にはめ込み、切り始めＪ点に達したら一時停止し糸刃を抜き取る。
１０．次に円形の中心点となる▲７▼に突起物を刺す。
１１．糸刃の左、右側何れかの一段目物差しの穴を円形の中心点となるＸｃｍ移動して固定する（円形切断を左、右回りするかによる）。
１２．▲７▼に刺した突起物を左、右側何れかの一段目物差しの穴にはめ込み、切り始め一周したら停止し糸刃を外し突起物も外す（円形の切断完了）。
１３．次に三角形の切り始めるｊ点に糸刃を通し、糸刃を固定する。
１４．ｊ点からＪ点まで残した約５ｍｍをフリーハンドで切断し一時停止する。
１５．板を回転して糸刃をｌ点までもっていきＬ点までフリーハンドで切断し一時停止する。
１６．次に板を回転して糸刃をｋ点までもっていきＫ点までフリーハンドで切断し停止する（三角形の切り抜き完了）。
１７．図７−３の場合は、円形の中心点となる▲７▼を最後まで残すことが重要である。
また、▲１▼、▲２▼、▲３▼、▲４▼、▲５▼、▲６▼の穴位置を円形の内にした場合、円形の切断を先に行っても良いが、穴の痕跡が残り埋める必要ある。【００１２】一定幅の切断方法（図８）
１．曲線切断に用いる左側物差し一段目（４ａ）の穴（４ｄ）に、背もたれ（８）を糸刃に対し平行になるように、ネジ４ｄ′）で固定する（利き腕によって左右側を選択する）。
２．切断する板幅に合わせ物差しを伸ばし、裏側のネジ（４ｇ、４ｆ）で固定する。
３．板（１１）を背もたれに密着して板を押して切断していく。
４．直線幅の最小切断は、背もたれが糸刃に接触しない範囲（８−１）まで可能であり、板の大きさにより背もたれを前方に引き固定する（８−２）。【００１３】斜傾角の切断方法（図９）
１．直線切断に用いる前部物差しの一段目（６ａ）の穴（６ｄ）に、角度変更付背もたれ（９）を取り付け、切断する板の傾斜角に合わせ、背もたれの角度を変えネジ（６ｄ′）で固定する。
２．物差しを押して糸刃に背もたれが接触しないか確認する。
３．物差しを手前に伸ばし、切断する板を置く。
４．板を背もたれに密着して物差しと共に押して切断していく。
５．斜傾角の切断範囲は、背もたれを角度変更して糸刃に接触しない範囲まで可能で、（９−１）は９０度切断、（９−２）は３０度切断である。【００１４】        「実施形態の効果」
この電動糸鋸装置を使用すれば、糸鋸の自由自在に切断できる従来の特徴に加え、円形を利用した曲線、方形等に用いる直線を規定通りに、簡単容易かつ滑らかに切断できる。あらたに直線幅の切断、傾斜角切断も正確にできることにより、電動鋸装置を使い分ける必要がなくなった。【００１５】        「他の実施形態」
電動糸鋸装置のテーブルを回転式にすることで、左右、前後何れかの伸び縮みする物差しで他方の機能も果たすことができる。また、電動バンド式鋸装置のテーブルに板を固定する突起物、背もたれを設けることにより、円形や方形、直線幅や斜傾角を図面通り正確かつ滑らかに切断できるようになる。
【図面の簡単な説明】
【００１６】
【図１】電動糸鋸装置の発明テーブル図  １−１伸び縮みする物差しを四方に設けたテーブル図  １−２右側の伸び縮みする物差しの拡大図  １−３同伸び縮みする物差しの断面図
【図２】従来の電動鋸装置図  ２−１電動丸鋸装置図  ２−２電動糸鋸装置図  ２−３電動バンド式鋸装置図
【図３】一定幅の切断にもちいる背もたれ図  ３−１背もたれの前面図  ３−２左側の物差しに固定した背もたれ図  ３−３同側面図
【図４】傾斜角の切断にもちいる背もたれ図  ４−１背もたれの前面図  ４−２前側の物差しに固定した背もたれ図  ４−３同側面図
【図５】円線の切断図
【図６】直線の切断図
【図７】線図・形図の切断図  ７−１円線と直線組み合わせ切断図  ７−２三角形と円のくり抜き切断図  ７−３円と三角形のくり抜き切断図
【図８】一定幅の直線切断図  ８−１狭い一定幅の切断図  ８−２広い一定幅の切断図
【図９】傾斜角切断図  ９−１  ９０度角の切断図  ９−２  ３０度角の切断図
【符号の説明】
【００１７】  １  電動丸鋸装置の丸刃
１ａ  電動丸鋸装置のテーブル
２  電動糸鋸装置の糸刃
２ａ  電動糸鋸装置のテーブル
３  電動バンド式鋸装置のベルト状輪刃
３ａ  電動バンド式鋸装置のテーブル
４  糸刃左側の伸び縮みする物差し
４ａ  同一段目物差し
４ｂ  同二段目物差し
４ｃ  同一段目物差しに突起物を刺す穴
４ｄ  同一段目物差しに背もたれを固定するネジ穴
４ｄ′  同ネジ
５  糸刃右側の伸び縮みする物差し
５ａ  同一段目物差し
５ｂ  同二段目物差し
５ｃ  同一段目物差しに突起物を刺す穴
５ｄ  同一段目物差しに背もたれを固定するネジ穴
５ｅ  同テーブルに固定するネジ
５ｆ  同二段目物差しを固定するネジ
５ｇ  同一段目物差しを固定するネジ
５ｈ  同外枠
６  糸刃前側の伸び縮みする物差し
６ａ  同一段目物差し
６ｂ  同二段目物差し
６ｃ  同一段目物差しに突起物を刺す穴
６ｄ  同一段目物差しに背もたれを固定するネジ穴
６ｄ′  同背もたれを固定するネジ
７  糸刃後側の伸び縮みする物差し
７ｃ  同一段目物差しに突起物を刺す穴
８  一定幅切断の背もたれ
９  傾斜角切断の背もたれ
１０  板を固定する突起物
１０ａ  板に突起物を刺す穴
１１  切断する板
【手続補正２】
【補正対象書類名】特許請求の範囲
【補正対象項目名】全文
【補正方法】変更
【補正の内容】
【特許請求の範囲】
【請求項１】
電動糸鋸装置のテーブル上に、糸刃を挟んだ左右前後の四方に切断する板の形や大きさに合わせ、板を固定する機能を移動方式で設置したことを特徴とする電動糸鋸装置。
【請求項２】
前記四方のうち左右二方の固定は、円形の組み合わせによる曲線を正確に切断するために、中心点となる位置に突起物を差し込むものである。糸刃の左右直線上に伸び縮みする物差しをはめ込み、その物差しに中心点となる穴を設け突起物を差し込み、取り付けることを特徴とする請求項１記載の電動糸鋸装置。
【請求項３】
前記四方のうち前後二方の固定は、直線を正確に切断するための基点となる位置に突起物を差し込むものである。糸刃の前後直線上に伸び縮みする物差しをはめ込み、その物差しに穴を設け突起物を差し込み、取り付けることを特徴とする請求項１記載の電動糸鋸装置。
【請求項４】
前記四方のうち左右二方の伸び縮みする物差しに、一定の幅を正確に切断するための移動式背もたれを固定するネジ穴を設け、取り付けることを特徴とする請求項１記載の電動糸鋸装置。
【請求項５】
前記四方のうち前部の伸び縮みする物差しに、斜傾角を正確に切断するための角度変更移動式背もたれを固定するネジ穴を設け、取り付けることを特徴とする請求項１記載の電動糸鋸装置。
【請求項６】
テーブルを回転式にすることで前記［請求項２］の伸び縮みする物差しは、［請求項３］、［請求項４］、［請求項５］の機能をもつ請求項１記載の電動糸鋸装置。
【請求項７】
前記［請求項１］のテーブルをバンド式鋸装置に取り付けることにより、［請求項２］、［請求項４］、［請求項５］の機能をもつ電動バンド式鋸装置。
【手続補正書】
【提出日】平成16年10月5日(2004.10.5)
【手続補正１】
【補正対象書類名】明細書
【補正対象項目名】全文
【補正方法】変更
【補正の内容】
【発明の詳細な説明】
【技術分野】
【０００１】この発明は、電動糸鋸・バンド式鋸装置の切断機能に関する。
【背景技術】
【０００２】木板等を切断するのに用いられている従来の電動鋸装置は、図２に示すように丸刃（１）を用いた装置（図２−１）と、そのテーブル（１ａ）。糸刃（２）を用いた装置（図２−２）と、そのテーブル（２ａ）。刃がベルト状で輪（３）になっているバンド式装置（図２−３）と、そのテーブル（３ａ）である。
【発明の開示】
【発明が解決しようとする課題】
【０００３】しかしながら、以上の電動鋸装置によれば、丸刃を用いたものは直線的切断に用いるもの。糸刃を用いたものは曲線的切断に用いるもの。バンド式は、刃がベルト状の輪になっており、用いる刃から背の幅の小ささで曲線的にも切断可能なものである。何れも鋸刃の特徴によって使い分ける必要がある。
特に糸鋸装置は、曲線を自由自在に切れることに加え、糸刃の取り外しが容易にでき他装置ではできない板の中側を種々の型にくり抜き空洞にすることができる。この自由自在に切断できることは、裏返せば板を固定するものが無く不安定である。従って規定通りの円形や方形、直線を正確に、しかも滑らかに切断することは至難の業であるし、丸鋸装置の特徴である直線切断に用いることは無かった。
そこで、この発明は、電動鋸装置を使い分ける必要なく、正確かつ滑らかに種々の切断ができる電動糸鋸装置を提供することを課題とする。
【課題を解決するための手段】
【０００４】以上の課題を解決するために、第一発明は、テーブルの糸刃を通す穴を中心に左右前後の放射状に二段伸縮式物差しをはめ込み、左右の二段伸縮式物差しには、板を円形切断に用いる円形の中心点となる針を差し込む穴と、板を一定の幅に切断するときに用いる板の背もたれを取り外し式で設け、前後の二段伸縮式物差しには、板の直線切断に用いる直線の前後を固定する針を差し込む穴と、板を斜傾角に切断するために用いる背もたれに、背の中程にＶ形のくびれ、分度目盛りを入れ、取り外しができる角度変更背もたれを設けたことを特徴とする電動糸鋸装置である。
第二発明は、第一発明の二段伸縮式物差しを電動バンド式鋸装置のテーブルのベルト状刃を通す穴を挟み左右前３ヶ所に取り付けることにより、第一発明のうち、円形切断、一定幅の切断、斜傾角切断の機能を設けたことを特徴とする電動バンド式鋸装置。
【発明の効果】
【０００５】第一発明によれば、電動糸鋸装置のテーブルに切断する板を固定する機能を設けたことにより、円形や方形、直線を図面通り正確、かつ滑らかに切断できる。また、板を安定にするために設けた背もたれ、角度変更背もたれを取り付けたことにより、丸鋸装置の特徴である直線切断も可能にした。
これらの機能を外すと、糸鋸の特徴である自由自在の切断が可能となり、装置を使い分ける必要のない電動糸鋸装置である。
第二発明によれば、第一発明の二段伸縮式物差しを、電動バンド式鋸装置のテーブルの３ヶ所に取り付けることにより、円形を図面通り正確かつ滑らかに切断できる。また、板を安定にするために、背もたれと角度変更背もたれを取り付けたことにより、一定幅の直線切断や傾斜角切断も、正確かつ滑らかに切断できることを可能にした電動バンド式鋸装置である。
【発明を実施するための最良の形態】
【０００６】この発明の一実施形態を示す。
一般に用いられている鋸には、直線に切る鋸と曲線に切る鋸がある。
直線に切る鋸の特徴は、刃から背への幅が広いことにある。背が切り口側面に当たらないように引くことで直線に切れて行くが、曲げ切ろうとすると背が切り口側面に当たり切れなくなる。より直線的に切るには、切る板に対し鋸の引く角度を下げ、刃から背への幅をより広くすることにある。
曲線に切る鋸の特徴は、刃から背への幅が狭いことにある。背が切り口側面に当たらない範囲で曲げて引けば曲線に切れて行くが、曲線に切れる小ささは刃から背への幅の小ささに比例する。従って、切る板に対し鋸の引く角度は直角にして上に引くことで、より曲線に切れる。
これらの特徴を生かした電動鋸装置（図２）のうち、「丸刃」を用いたものは直線に切断することを目的にした装置（図２−１）である。刃から背への幅が狭い「糸刃」を用いたものは曲線に切断することを目的にした装置（図２−２）である。また、「バンド式」は刃がベルト状で輪になっており丸鋸と糸鋸の中間的なもので、用いる刃の幅（刃から背）の小ささで曲線的切断もできる装置（図２−３）である。
電動糸鋸装置の特徴は、曲線を自由自在に切れることに加え、糸刃の取り外しが容易にできることにある。このことにより「丸鋸装置」や「バンド式装置」では、できない板の中側を種々の形に切り抜き空洞にすることにある。
しかしながら、この自由自在に切断できることは、裏返せば板を固定するものが無く不安定である。そのため円形や方形、直線を図面通り正確かつ滑らかに切断することは至難の業である。
今回、発明した電動糸鋸装置は、テーブル中央の糸刃を通す穴を挟み、左右前後の四方に二段伸縮式物差し（図１）をはめ込み、その物差しに板を固定する針穴、板を安定さす背もたれ（取り外し式）、角度変更背もたれ（取り外し式、背もたれの中程にＶ形のくびれが入っている）を設け、切断する板の形や大きさに合わせ伸縮機能を持たせたことにある。
この発明により、糸鋸の自由自在に切断できる従来の特徴に加え、円形を利用した曲線切断、方形等に用いる直線切断が簡単、しかも滑らかに切断できる。また、従来やらなかった一定幅の切断や傾斜角切断も正確にできることにより、電動鋸装置を使い分ける必要がなくなったことにある。
図１は、発明した電動糸鋸装置のテーブル（図１−１）である。テーブル中央の糸刃（２）を通す穴を挟み、左右前後の四方に二段伸縮式物差し（４、５、６、７）を設けている。
図１−２は、糸刃（２）を通す穴を挟み右側に設けた二段伸縮式物差し（５）の拡大図で、複数のネジ（５ｅ）でテーブルに固定されている。
一段目物差し（５ａ）には、円の中心点を固定する針（１０）を差し込む穴（５ｃ）と、板の背もたれ（８）を固定するネジ穴（５ｄ）を設けている。
二段目物差し（５ｂ）は、板の大きさに合わせ引き伸ばし、糸刃からの位置をより離すことができる。
一段目、二段目物差しを固定するネジ（５ｆ、５ｇ）は、それぞれの物差しの裏側に設けている。図１−３は断面図である。
これらの機能は、四方に設けた二段伸縮式物差し（４、５、６、７）に共通しているが、糸刃の後側（７）に設けた二段伸縮式物差しは、背もたれを使用しないので、そのネジ穴は無くても良い。
図３は、板を一定の幅に切断するときに用いる背もたれ（８）図である。図３−１はネジ止め側からの面図である。図３−２は背もたれを糸刃を通す穴の左側に設けた二段伸縮式物差し（４）の一段目（４ａ）のネジ穴（４ｄ）にネジ（４ｄ′）で止めた状態と、その断面（図３−３）である。（右側では、５ａ、５ｃ、５ｇ、５ｆになる）
図４は、板を傾斜角に切断するときに用いる角度変更背もたれ（９）図である。中程にＶ形のくびれが入っており糸刃が背もたれに接触しないようになっている。また、切断する傾斜角度は、分度目盛りで確認し背もたれを固定する。図４−１はネジ止め側からの面図である。図４−２は角度変更背もたれ（９）を、糸刃を通す穴の前側に設けた二段伸縮式物差し（６）の一段目（６ａ）のネジ穴（６ｄ）にネジ（６ｄ′）で止めた状態と、その断面（図４−３）である。【０００７】円形の切断方法（図５）
１．切断する板上（１１）に、コンパスを使って円を直接書くか、または紙上に書いた円を板に貼り付ける。
２．円の中心点▲１▼に針を刺す穴を貫通さす。
３．円線の一カ所Ａ点に糸刃を通す穴を貫通さす。
４．糸刃の左右何れかの二段伸縮式物差しを使用して切断するか決める。左側での例、一段目物差し（４ａ）の穴（４ｃ）を円の中心点（Ｘｃｍ）まで伸ばし、物差しの裏側にあるネジ（４ｇ・４ｆ）で固定する。（右側では５ａ、５ｃ、５ｇ、５ｆになる）
５．円線上に貫通した穴（Ａ）に糸刃を通し固定する。
６．円の中心点に針を刺し通し一段目物差しの穴（４ｃ）に差し込む。
７．針を刺した中心点を基軸に、板を左回りに押しながら切断し始める。【０００８】直線の切断方法（図６）
１．切断する板上（１１）に、定規を使って直接直線を書くか、または紙上に書いた直線を板に貼り付ける。
２．直線の切断始点Ａと終点Ｂに糸刃を通す穴を貫通さす。
３．直線のＡ、Ｂ点の延長線上数センチ離れた位置に、板を固定する針穴を二カ所▲１▼、▲２▼に開ける。その位置は、糸刃（２）から一段目物差しの穴（７ｃ）までの長さを最低空ける。
４．直線の始点Ａの穴に糸刃を通し固定する。
５．直線の前後延長線上の二カ所▲１▼、▲２▼のそれぞれに針を刺し通す。
６．直線の前部延長線上▲１▼に刺し通した針は、糸刃の後部二段伸縮式物差し（７ａ）の穴（７ｃ）に差し込む。直線の後部延長線上▲２▼に刺し通した針は、糸刃の前部二段伸縮式物差しの一段目（６ａ）を伸ばし、位置を合わせ穴（６ｃ）に差し込む。
７．板を押しながら切断し始める。糸刃前後の二段伸縮式物差しは、むら無くスムーズに伸び縮みすることが重要でありネジ固定はしない。【０００９】円の大小の組み合わせと直線を組み合わせた線図を、切断するときの事例（図７−１）。
１．切断する板上に、コンパスと定規を使って線図を直接書くか、または紙上に書いた線図を板に貼り付ける。
２．線図の切り始めるＡ点、終了するＥ点に糸刃を通す穴を開ける。
３．円曲線の中心点（半径点）となる▲１▼、▲２▼、▲３▼に針を刺す穴を開ける。次に直線に切断するＤ〜Ｅの延長した点▲４▼（７ｃから糸刃までの長さが必要）、▲５▼（糸刃から６ｃまでの長さが必要）にも同様の穴を開ける。
４．切り始めるＡ点に糸刃を通し、糸刃を固定する。
５．開けた中心点▲１▼に針を刺し、先端が下に出ていることを確認する。
６．Ａ点からの曲線は右回り切断になる。糸刃左側の二段伸縮式物差しの一段目を伸ばし穴（４ｃ）をＸｃｍ移動して固定する。▲１▼に刺した針の先端を穴にはめ込み曲線の切断軸とし、切り始めＢ点に到達したら一時停止。
７．Ｂ点からの曲線は左回りの切断になる。糸刃の右側の二段伸縮式物差し一段目を伸ばし穴（５ｃ）をＸ′ｃｍ移動して固定する。▲１▼に刺した針を外し▲２▼に刺し変え、穴（５ｃ）にはめ込み曲線の切断軸として切っていき、Ｃ点に到達したら一時停止する。
８．Ｃ点からの曲線も左回りの切断になる。▲２▼に刺した針を外し糸刃の右側の二段伸縮式物差し１段目の穴（５ｃ）をＸ″ｃｍ移動して固定する。針を▲３▼に刺し変え、穴（５ｃ）にはめ込み曲線の切断軸として切っていき、Ｄ点に到達したら一時停止。
９．Ｄ点からは直線の切断になる。針を穴（５ｃ）と▲３▼からも外し、直線に切断するＤ〜Ｅの延長点▲４▼、▲５▼に、それぞれ針を刺す。▲４▼に刺した針は、糸刃の後部二段伸縮式物差しの穴（７ｃ）にはめ込む。▲５▼に刺した針は、糸刃の前部二段伸縮式物差しを伸ばし穴（６ｃ）にはめ込む。糸刃の前後の二段伸縮式物差しは、固定せず滑らかに伸縮することが必要である。
１０．再度切り始めＥ点に達したら停止し糸刃を抜き取る（線図切断終了）。【００１０】三角形の中側を円形に切り抜くときの事例（図７−２）
１．切断する板上に、コンパスと定規を使って三角形と中に円形図を直接書くか、または紙上に書いた図を板に貼り付ける。
２．三角形のＦ点、Ｇ点、Ｈ点に糸刃を通す穴を開け、次に円形を切り始めるＩ点にも糸刃を通す穴を開ける。
３．直線に切断するＦ〜Ｇ、Ｇ〜Ｈ、Ｈ〜Ｆの延長した点（▲１▼、▲３▼、▲５▼は７ｃから糸刃までの長さが最低必要。▲２▼、▲４▼、▲６▼は糸刃から６ｃまでの長さが最低必要）に針を刺す穴を開ける。
４．円形に切り抜く中心点となる▲７▼にも突起物を刺す穴を開ける。
５．三角形の切り始めるＦ点に糸刃を通し、糸刃を固定する。
６．開けた▲１▼、▲２▼に、それぞれ針を刺す。▲１▼に刺した針は、糸刃の後部二段伸縮式物差しの穴（７ｃ）にはめ込み、▲２▼に刺した針は、糸刃の前部二段伸縮式物差しを伸ばし穴（６ｃ）にはめ込み、切り始めＧ点に達したら一時停止する。
７．針を穴（７ｃ、６ｃ）と▲１▼、▲２▼から抜き取り、▲３▼、▲４▼に刺し変え板を回転して▲３▼は７ｃの穴、▲４▼は６ｃの穴にはめ込み、切り始めＣ点に達したら一時停止する。
８．針を穴（７ｃ、６ｃ）と▲３▼、▲４▼から抜き取り、▲５▼、▲６▼に刺し変え板を回転して▲５▼は７ｃの穴、▲６▼は６ｃの穴にはめ込み、切り始めＡ点に達したら停止し糸刃を抜き取る（三角形の切断完了）。
９．三角形中側の円形を切り始めるＩ点に糸刃を通し、糸刃を固定する。
１０．円形の中心点となる▲７▼に針を刺す。
１１．糸刃の左、右側何れかの二段伸縮式物差し一段目の穴を円形の中心点となるＸｃｍ移動して固定する（円形切断を左、右回りするかによる）。
１２．▲７▼に刺した針を左、右側何れかの二段伸縮式物差し一段目の穴にはめ込み、切り始め一周したら停止し糸刃を抜き取る（円形の切り抜き完了）。
１３．図形（図７−２）の場合、最初に円形を切り抜き次に三角形を切断してもよい。【００１１】円形の中側を三角形に切り抜くときの事例（図７−３）
１．切断する板上に、コンパスと定規を使って円形図と中に三角形を直接書くか、または紙上に書いた図を板に貼り付ける。
２．三角点Ｊ、Ｋ、Ｌから、それぞれ数ミリ程度離れたｊ点、ｋ点、ｌ点と円形を切り始めるＭ点にも糸刃を通す穴を開ける。
３．直線に切断するＪ〜Ｋ、Ｋ〜Ｌ、Ｌ〜Ｊの延長した点（▲１▼、▲３▼、▲５▼は７ｃから糸刃までの長さが必要。▲２▼、▲４▼、▲６▼は糸刃から６ｃまでの長さが必要）と円形の中心点となる▲７▼にも針を刺す穴を開ける。
４．三角形の切り始めるｊ点に糸刃を通し、糸刃を固定する。
５．針をそれぞれ▲１▼、▲２▼に刺す。▲１▼に刺した針は、糸刃の後部二段伸縮式物差しの穴（７ｃ）にはめ込み、▲２▼に刺した針は、糸刃の前部二段伸縮式物差しの穴（６ｃ）にはめ込み、切り始めＫ点に達したら一時停止し糸刃を抜き取る。
６．次に三角形のｋ点に糸刃を通し、糸刃を固定する。
７．針を穴（７ｃ、６ｃ）と▲１▼、▲２▼から抜き取り、▲３▼、▲４▼に刺し変える。板を回転して▲３▼は７ｃの穴、▲４▼は６ｃの穴にはめ込み、切り始めＬ点に達したら一時停止し糸刃を抜き取る。
８．三角形のｌ点に糸刃を通し、糸刃を固定する。
９．針を穴（７ｃ、６ｃ）と▲３▼、▲４▼から抜き取り、▲５▼、▲６▼に刺し変える。板を回転して▲５▼は７ｃの穴、▲６▼は６ｃの穴にはめ込み、切り始めＪ点に達したら一時停止し糸刃を抜き取る。
１０．次に円形の中心点となる▲７▼に針を刺す。
１１．糸刃の左、右側何れかの二段伸縮式物差し一段目の穴を円形の中心点となるＸｃｍ移動して固定する（円形切断を左、右回りするかによる）。
１２．▲７▼に刺した針を左、右側何れかの二段伸縮式物差し一段目の穴にはめ込み、切り始め一周したら停止し糸刃を外し針も外す（円形の切断完了）。
１３．次に三角形の切り始めるｊ点に糸刃を通し、糸刃を固定する。
１４．ｊ点からＪ点まで残した約５ｍｍをフリーハンドで切断し一時停止する。
１５．板を回転して糸刃をｌ点までもっていきＬ点までフリーハンドで切断し一時停止する。
１６．次に板を回転して糸刃をｋ点までもっていきＫ点までフリーハンドで切断し停止する（三角形の切り抜き完了）。
１７．図７−３の場合は、円形の中心点となる▲７▼を最後まで残すことが重要である。また、▲１▼、▲２▼、▲３▼、▲４▼、▲５▼、▲６▼の穴位置を円形の内にした場合、円形の切断を先に行っても良いが、穴の痕跡が残り埋める必要ある。【００１２】一定幅の切断方法（図８）
１．曲線切断に用いる左側二段伸縮式物差し一段目（４ａ）の穴（４ｄ）に、背もたれ（８）を糸刃に対し平行になるように、ネジ４ｄ′）で固定する（利き腕によって左右側を選択する）。
２．切断する板幅に合わせ物差しを伸ばし、裏側のネジ（４ｇ、４ｆ）で固定する。
３．板（１１）を背もたれに密着して板を押して切断していく。
４．直線幅の最小切断は、背もたれが糸刃に接触しない範囲（図８−１）まで可能であり、板の大きさにより背もたれを前後に調整する（図８−２）。
◎ここで用いる背もたれは、角度が変更できない固定式でもよい。【００１３】斜傾角の切断方法（図９）
１．直線切断に用いる前部二段伸縮式物差しの一段目（６ａ）の穴（６ｄ）に、角度変更背もたれ（９）を取り付ける。切断する板の傾斜角度に、分度目盛りを見ながら背もたれの角度を調整しネジ（６ｄ′）で固定する。
２．角度変更背もたれを固定した物差しを押して、糸刃が中程のＶ形くびれに入り、奥に接触しないことを確認する。
３．物差しを手前に引っ張り、切断する板を置く。
４．板を角度変更背もたれに密着させ、物差しと共に押し切断していく。
５．斜傾角の切断範囲はＶ形くびれの幅による。背もたれの角度を変更しながら糸刃に接触しない範囲まで可能であり、図９−１は９０°切断、図９−２は３０°切断である。【００１４】「実施形態の効果」
この電動糸鋸装置を使用すれば、糸鋸の自由自在に切断できる従来からの特徴に加え、円形を利用した曲線や方形等に用いる直線を規定通り正確に切断でき、従来できなかった一定幅の切断や傾斜角切断も正確にできることにより、電動鋸装置を使い分ける必要がなくなった。【００１５】「他の実施形態」
テーブルを回転式にすることで、左右二段伸縮式物差しは、前後二段伸縮式物差しの機能をもつ電動糸鋸装置になる。
【図面の簡単な説明】
【００１６】
【図１】電動糸鋸装置の発明テーブル図  １−１二段伸縮式物差しを四方に設けたテーブル図  １−２右側の二段伸縮式物差しの拡大図  １−３同二段伸縮式物差しの断面図
【図２】従来の電動鋸装置図  ２−１電動丸鋸装置図  ２−２電動糸鋸装置図  ２−３電動バンド式鋸装置図
【図３】一定幅の切断にもちいる背もたれ図  ３−１背もたれの前面図  ３−２左側の物差しに固定した背もたれ図  ３−３同側面図
【図４】傾斜角の切断にもちいる角度変更背もたれ図  ４−１角度変更背もたれの前面図  ４−２前側の二段伸縮式物差しに固定した角度変更背もたれ図  ４−３同側面図
【図５】円線の切断図
【図６】直線の切断図
【図７】線図・形図の切断図  ７−１円線と直線組み合わせ切断図  ７−２三角形に円のくり抜き切断図  ７−３円に三角形のくり抜き切断図
【図８】一定幅の直線切断図  ８−１狭い一定幅の切断図  ８−２広い一定幅の切断図
【図９】傾斜角切断図  ９−１  ９０度角の切断図  ９−２  ３０度角の切断図
【符号の説明】
【００１７】    １      電動丸鋸装置の丸刃
１ａ    電動丸鋸装置のテーブル
２      電動糸鋸装置の糸刃
２ａ    電動糸鋸装置のテーブル
３      電動バンド式鋸装置のベルト状輪刃
３ａ    電動バンド式鋸装置のテーブル
４      糸刃左側の二段伸縮式物差し
４ａ    同一段目物差し
４ｂ    同二段目物差し
４ｃ    同一段目物差しに針を刺す穴
４ｄ    同一段目物差しに背もたれを固定するネジ穴
４ｄ′  同ネジ
５      糸刃右側の二段伸縮式物差し
５ａ    同一段目物差し
５ｂ    同二段目物差し
５ｃ    同一段目物差しに突起物を刺す穴
５ｄ    同一段目物差しに背もたれを固定するネジ穴
５ｅ    同テーブルに固定するネジ
５ｆ    同二段目物差しを固定するネジ
５ｇ    同一段目物差しを固定するネジ
５ｈ    同外枠
６      糸刃前側の二段伸縮式物差し
６ａ    同一段目物差し
６ｂ    同二段目物差し
６ｃ    同一段目物差しに突起物を刺す穴
６ｄ    同一段目物差しに背もたれを固定するネジ穴
６ｄ′  同背もたれを固定するネジ
７      糸刃後側の二段伸縮式物差し
７ｃ    同一段目物差しに針を刺す穴
８      一定幅切断の背もたれ
９      傾斜角切断の角度変更背もたれ
１０      板を固定する針
１０ａ    板に針を刺す穴
１１      切断する板
【手続補正２】
【補正対象書類名】特許請求の範囲
【補正対象項目名】全文
【補正方法】変更
【補正の内容】
【特許請求の範囲】
【請求項１】
電動糸鋸装置のテーブル上の糸刃を通す穴を挟んだ左右前後の放射状に二段伸縮式物差しをはめ込み、左右二方の二段伸縮式物差しには、円形切断に用いる円形の中心点となる針を差し込む穴、一定幅の切断にもちいる板の背もたれ（取り外し式）を設け、前後二方の二段伸縮式物差しには、直線切断に用いる直線の前後を固定する針を差し込む穴、板の斜傾角切断にもちいる背もたれの中程にＶ形のくびれが入った角度変更背もたれ（分度目盛り付き・取り外し式）を設け、板の形や大きさ、切断する形に合わせ板を固定、安定さす機能を設けたことを特徴とする電動糸鋸装置。
【請求項２】
前記［請求項１］の二段伸縮式物差しを、電動バンド式鋸装置のテーブルのベルト状刃を挟んだ左右前の三方に取り付け、左右の二段伸縮式物差しには、円形切断に用いる円形の中心点となる針を差し込む穴、一定幅の切断にもちいる板の背もたれ（取り外し式）を設け、前方の二段伸縮式物差しには、板の斜傾角切断にもちいる背もたれの中程にＶ形のくびれが入った角度変更背もたれ（分度目盛り付き・取り外し式）を設け、板の形や大きさ、切断する形に合わせ板を固定、安定さす機能を設けたことを特徴とする電動バンド式鋸装置。
【手続補正書】
【提出日】平成16年12月15日(2004.12.15)
【手続補正１】
【補正対象書類名】明細書
【補正対象項目名】全文
【補正方法】変更
【補正の内容】
【発明の詳細な説明】
【技術分野】
【０００１】この発明は、電動糸鋸装置、電動バンド式鋸装置の切断機能に関する。
【背景技術】
【０００２】木板等を切断するのに用いられている従来の電動鋸装置は、図２に示すように丸刃（６）を用いた丸鋸装置（２−１）と、そのテーブル（６ａ）。糸刃（７）を用いた糸鋸装置（２−２）と、そのテーブル（７ａ）。刃がベルト状で輪（８）になっているバンド式装置（２−３）と、そのテーブル（８ａ）である。
【発明の開示】
【発明が解決しようとする課題】
【０００３】しかしながら、以上の電動鋸装置によれば、丸刃を用いたものは直線的切断に用いるもの。糸刃を用いたものは曲線的切断に用いるもの。バンド式は、刃がベルト状の輪になっており、用いる刃から背の幅の小ささで曲線的にも切断可能なものである。何れも鋸刃の特徴によって使い分ける必要がある。
特に糸鋸装置は、曲線を自由自在に切れることに加え、糸刃の取り外しが容易にでき他装置ではできない板を種々の型にくり抜き空洞にすることができる。この自由自在に切断できることは、裏返せば板を固定するものが無く不安定である。従って規定通りの円形や方形、直線を正確に、しかも滑らかに切断することは至難の業であり、丸鋸装置の特徴である直線切断に用いることは無かった。
そこで、この発明は、電動鋸装置を使い分ける必要なく、正確かつ滑らかに種々の切断ができる電動糸鋸装置、電動バンド式鋸装置を提供することを課題とする。
【課題を解決するための手段】
【０００４】以上の課題を解決するために、第一発明は、電動糸鋸装置のテーブルの糸刃を通す穴を中心に左右前後の十字状に伸縮式物差しをはめ込み、伸縮式物差しの外側をテーブルに固定し、中側物差しに伸縮機能と糸刃に近い箇所と遠い箇所の二ヶ所に切断する板を固定、安定にするネジ穴を設けている。二ヶ所に設けたネジ穴は、切断する板の大きさに合わせ中側物差しを伸縮させネジ穴を選択できる。
左右の伸縮式物差しに設けたネジ穴は、板の円形切断に用いる円形の中心点となるネジ棒を固定するものである。また、板を一定幅に切断するのに用いる取り外し式背もたれを固定するものにもなる。
前後の伸縮式物差しに設けたネジ穴は、板の直線切断に用いる直線の前後を固定するネジ棒を固定するものである。また、前方の伸縮式物差しに設けたネジ穴は、板の傾斜角切断に用いる取り外し式の角度変更背もたれを固定するものにもなる。角度変更背もたれには、分度目盛りと糸刃が接触しないようにＶ形のくびれを設けている。
円形切断、直線切断、一定幅の切断、傾斜角切断を可能にするために、板を固定、安定にさす機能を設けたことを特徴とする電動糸鋸装置である。
第二発明は、第一発明の伸縮式物差しを電動バンド式鋸装置のテーブルのベルト状刃を通す穴を挟み左右前の三方にはめ込むことにより、第一発明のうち、円形切断、一定幅の切断、傾斜角切断の機能を設けたことを特徴とする電動バンド式鋸装置である。
【発明の効果】
【０００５】第一発明によれば、電動糸鋸装置のテーブルに伸縮式物差しを十字状にはめ込み、切断する板を固定する機能を設けたことにより、円形や方形、直線を図面通り正確、かつ滑らかに切断できる。また、板を安定にするために設けた背もたれ、角度変更背もたれを取り付けることにより、丸鋸装置の特徴である直線、傾斜角切断も可能にした。
これらの機能を外すと、糸鋸の特徴である自由自在の切断が可能となり、装置を使い分ける必要のない電動糸鋸装置である。
第二発明によれば、第一発明の伸縮式物差しを、電動バンド式鋸装置のテーブルの左右前の三方に取り付けることにより、円形を図面通り正確かつ滑らかに切断できる。また、板を安定にするために設けた背もたれ、角度変更背もたれを取り付けることにより、一定幅の直線切断や傾斜角切断も、正確かつ滑らかに切断できることを可能にした電動バンド式鋸装置である。
【発明を実施するための最良の形態】
【０００６】この発明の一実施形態を示す。
一般に用いられている鋸には、直線に切る鋸と曲線に切る鋸がある。
直線に切る鋸の特徴は、刃から背への幅が広いことにある。背が切り口側面に当たらないように引くことで直線に切れて行くが、曲げ切ろうとすると背が切り口側面に当たり切れなくなる。より直線的に切るには、切る板に対し鋸の引く角度を下げ、刃から背への幅をより広くすることにある。
曲線に切る鋸の特徴は、刃から背への幅が狭いことにある。背が切り口側面に当たらない範囲で曲げて引けば曲線に切れて行くが、曲線に切れる小ささは刃から背への幅の小ささに比例する。従って、切る板に対し鋸の引く角度は直角にして上に引くことで、より曲線に切れる。
これらの特徴を生かした電動鋸装置（図２）のうち、「丸刃」を用いたものは直線に切断することを目的にした電動丸鋸装置（２−１）である。刃から背への幅が狭い「糸刃」を用いたものは曲線に切断することを目的にした電動糸鋸装置（２−２）である。また、刃がベルト状で輪になっており丸鋸と糸鋸の中間的なもので、用いる刃の幅（刃から背）の小ささで曲線的切断もできる電動バンド式装置（２−３）である。
電動糸鋸装置の特徴は、曲線を自由自在に切れることに加え、糸刃の取り外しが容易にできることにある。このことにより「丸鋸装置」や「バンド式装置」では、できない板を種々の形に切り抜き空洞にすることにある。
しかしながら、この自由自在に切断できることは、裏返せば板を固定するものが無く不安定である。そのため円形や方形、直線を図面通り正確かつ滑らかに切断することは至難の業である。
今回、発明した電動糸鋸装置は、テーブル中央の糸刃を通す穴を挟み、伸縮式物差しを左右前後の十字状にはめ込み、各伸縮式物差しの外側物差しはテーブルに固定し、中側物差しは伸縮式になっている（１−１）。中側物差しには切断する板を固定、安定さすためのネジ棒を差し込み固定するネジ穴を二ヶ所ずつ設けている。
左右の伸縮式物差し（２、３）の中側物差し（２ｂ、３ｂ）のネジ穴は、円形切断時に用いる円の中心点に通したネジ棒の固定、一定幅の切断にもちいる取り外し式背もたれの固定に用いる。
前後の伸縮式物差し（４、５）の中側物差し（４ｂ、５ｂ）のネジ穴は、直線切断に用いる直線の前後をネジ棒で固定するものなる。前方の伸縮式物差し（４）の中側物差し（４ｂ）のネジ穴は、傾斜角切断にもちいる取り外し式角度変更背もたれの固定にも用いる。
板の大きさに合わせ、中側物差しを伸縮させ二ヶ所にあるネジ穴を選択することで、切断する板の形や大きさが異なっても、正確かつ滑らかに切断する機能を持たせたことで、電動鋸装置を使い分ける必要がなくなったことにある。
電動バンド式鋸装置は、テーブル中央のバンド式刃を通す穴を挟み、伸縮式物差しを左右前の三方にはめ込んでいる。各伸縮式物差しは、電動糸鋸装置と同様の形状、機能を持っているが、直線切断はできない。
この発明により、糸鋸の自由自在に切断できる従来の特徴に加え、円形を利用した曲線切断、方形等に用いる直線切断が簡単、しかも滑らかに切断できる。また、従来できなかった一定幅の切断や傾斜角切断も正確にできるようになったことにある。
図１は、発明した電動糸鋸装置、電動バンド式鋸装置のテーブルである。電動糸鋸装置のテーブル（１−１）中央の糸刃（７）を通す穴を挟み、伸縮式物差し（２、３、４、５）を左右前後の十字状に設けている。電動バンド式鋸装置のテーブル（１−２）中央にあるバンド式刃（８）を通す穴を挟み、伸縮式物差し（２、３、４、）を左右前の三方に設けている。
１−３は、糸刃（７）、バンド式刃（８）を通す穴を挟み左側に設けた伸縮式物差し（２）の拡大図である。外側物差し（２ａ）は、複数のネジ（２ｈ）でテーブル（１、９）に固定されている。中側物差し（２ｂ）は伸縮式で、円の中心点を固定するネジ棒（１４）と、板の背もたれ（３−１）を固定するネジ棒（１０）を差し込み固定するネジ穴を二ヶ所（２ｃ、２ｅ）、背もたれ（３−１）を９０度角の位置に固定する突起（１１）を差し込む穴を二ヶ所（２ｄ、２ｇ）に設けている。二ヶ所に設けたネジ穴、突起穴は、中側物差しを引き伸ばし、穴の位置を刃からより離すことで、小〜大きい切断ができる。位置が決まれば物差しの裏側に設けたネジ（２ｆ）で中側物差し（２ｂ）を固定する。
これらの機能は、十字状に設けた伸縮式物差し（２、３、４、５）に共通しているが、４、５の伸縮式物差しには、突起（１１）を差し込む穴は不要で、固定するネジ（２ｆ）は無くても良い。１−４は断面図である。
図３は、板を一定幅に切断するときに用いる背もたれ図で、左右の伸縮式物差し（２、３）に装着する。３−１は、ネジ止め側からの面図である。３−２は、背もたれを伸縮式物差し（２）の中側物差し（２ｂ）のネジ穴（２ｃ）にネジ棒（１０）で固定した状態である。その断面（３−３）である。３−４は、背もたれの中側物差しに接する部品板で、半円形でネジ棒を通す穴と突起（１１）を設けている。３−５は、Ｌ形の部品板で３−４の部品板の上にのり長方形の溝が開いており、そこにネジ棒（１０）を通し左右に移動を可能にしている。
図４は、板を傾斜角に切断するときに用いる角度変更背もたれ図で、前方の伸縮式物差し（４）に装着する。４−１は、ネジ止め側からの面図である。４−２は、伸縮式物差し（４）の中側物差し（４ｂ）のネジ穴（４ｃ）にネジ棒（１２）で固定した状態である。その断面図（４−３）である。４−４は、背もたれの中側物差しに接する部品板で、半円形でネジ棒を通す穴と分度計目盛りを設けている。４−５は、Ｌ形の部品板で４−４の上にのり長方形の溝が開いており、そこにネジ棒（１２）を通し左右に移動を可能にしている。また、切断する板に接する面は、Ｖ形のくびれが入っており刃（７．８）が背もたれに接触しないようになっている。【０００７】円形の切断方法（図５  電動糸鋸装置、電動バンド式鋸装置共用）
１．糸刃を挟んだ左右の伸縮式物差し（２、３）何れかを選択し使用する。
２．切断する板面（１３）に、コンパスを使って円を直接書くか、または紙上に書いた円を板に貼り付ける。
３．円の中心点▲１▼にネジ棒を通す穴を開ける。
４．左側で切断する例。切断する板を左側伸縮式物差し側に置き、板の外側Ｂ点から円線の一カ所Ａ点まで切り込んでいく。
５．円の中心点▲１▼にネジ棒を通し、中側目物差し（２ｂ）のネジ穴（２ｃ、２ｅ）の何れかに合う位置まで伸ばし、ネジ棒を差し込み固定する。次に、物差しの裏側にあるネジ（２ｆ）で中側目物差しを固定する（右側では３ｆになる）。
６．ネジ棒を通した中心点を基軸に、板を左回りに押しながら切断し始める。
７．一周しＡ点まで達したら切断完了。【０００８】直線の切断方法（図６  電動糸鋸装置用）
１．糸刃を挟んだ前後の伸縮式物差し（４、５）を使用する。
２．切断する板上（１３）に、定規を使って直接直線を書くか、または紙上に書いた直線を板に貼り付ける。
３．直線の切断始点Ａと終点Ｂに糸刃（７）を通す穴を開ける。
４．直線のＡ、Ｂ点の延長線上数センチ離れた位置に、板を固定するネジ棒を通す穴を二カ所▲１▼、▲２▼に開ける。その位置は、糸刃（２）から中側物差しのネジ穴（▲１▼は５ｃ、▲２▼は４ｃ）までの長さを最低限必要。
５．直線の始点Ａの穴に糸刃を通し固定する。
６．直線前後の延長線上の二カ所▲１▼、▲２▼のそれぞれにネジ棒を通す。
６．直線前部の延長線上▲１▼に通したネジ棒は、糸刃後部の中側物差し（５ｂ）のネジ穴（５ｃ）に差し込み固定。直線後部の延長線上▲２▼に通したネジ棒は、糸刃前部の中側物差し（４ｂ）を伸ばし、位置を合わせネジ穴（４ｃ）に差し込み固定する。
８．板を押しながら切断し始める。糸刃前後の中側物差しは、むら無くスムーズに伸び縮みすることが重要であり、裏にあるネジ固定はしない。
９．Ｂ点に達したら停止し糸刃を抜き取り切断完了。【０００９】円と直線を組み合わせた図の切断方法（図７  電動糸鋸装置用）
円の大小と直線を組み合わせた線の切断事例（７−１）
１．糸刃を挟んだ左右前後の伸縮式物差し（２、３、４、５）を使用する。
２．切断する板上に、コンパスと定規を使って線図を直接書くか、または紙上に書いた線図を板に貼り付ける。
２．線図の切り始めるＡ点、終了するＥ点に糸刃を通す穴を開ける。
３．円曲線の中心点（半径点）となる▲１▼、▲２▼、▲３▼にネジ棒を通す穴を開ける。次に直線に切断するＤ〜Ｅの延長した点▲４▼（５ｃから糸刃までの長さが必要）、▲５▼（糸刃から３ｃまでの長さが必要）にも同様の穴を開ける。
４．切り始めるＡ点に糸刃を通し、糸刃を固定する。
５．円曲線の中心点▲１▼にネジ棒を通しておく。
６．Ａ点からの曲線は左回り切断になるので、糸刃左側伸縮式物差しを使用する。中側物差し（２ｂ）を伸ばし、円の半径Ｘｃｍに合うネジ穴（２ｃ、２ｅ）を選び、▲１▼に通したネジ棒をネジ穴にはめ込み固定し曲線の切断軸とする。
７．テーブルの裏側にあるネジ（２ｆ）で中側物差し（２ｂ）を固定する。
８．切り始める。Ｂ点に到達したら一時停止。
９．Ｂ点からの曲線は右回りの切断になる。▲１▼に通したネジ棒を外し▲２▼に刺し変える。糸刃右側の中側物差し（３ｂ）を伸ばしＸ′ｃｍに合うネジ穴（３ｃ、５３ｅ）を選びはめ込み固定する。
１０．切り始める。Ｃ点に到達したら一時停止。
１１．Ｃ点からの曲線も右回りの切断になる。▲２▼に通したネジ棒を外し糸刃の右側の中側物差しのネジ穴をＸ″ｃｍ移動する。ネジ棒を▲３▼に通し変え、ネジ穴にはめ込み固定する。
１２．テーブルの裏側にあるネジ（３ｆ）で中側物差し（３ｂ）を固定する。
１３．切り始める。Ｄ点に到達したら一時停止。
１４．Ｄ点からは直線の切断になる。ネジ棒をネジ穴と▲３▼からも外し、直線に切断するＤ〜Ｅの延長点▲４▼、▲５▼に、それぞれネジ棒を通す。▲４▼に刺したネジ棒は、糸刃後部の中側物差し（５ｂ）のネジ穴にはめ込み、▲５▼に通したネジ棒は、糸刃前部の中側物差し（４ｂ）を伸ばしネジ穴にはめ込み固定する。糸刃前後の中側物差しは、固定せず滑らかに伸縮することが必要である。
１５．再度切り始めＥ点に達したら停止し糸刃を抜き取り切断完了。【００１０】三角形の中側を円形に切り抜く事例（７−２  電動糸鋸装置用）
１．糸刃を挟んだ左右前後の伸縮式物差し（２、３、４、５）を使用する。
２．切断する板上に、コンパスと定規を使って三角形と中に円形図を直接書くか、または紙上に書いた図を板に貼り付ける。
３．三角形のＦ点、Ｇ点、Ｈ点に糸刃を通す穴を開け、次に円形を切り始める１点にも糸刃を通す穴を開ける。
４．直線に切断するＦ〜Ｇ、Ｇ〜Ｈ、Ｈ〜Ｆの延長した点（▲１▼、▲３▼、▲５▼は糸刃から５ｃまでの長さが最低必要。▲２▼、▲４▼、▲６▼は糸刃から４ｃまでの長さが最低必要）にネジ棒を通す穴を開ける。
５．円形に切り抜く中心点となる▲７▼にもネジ棒を通す穴を開ける。
６．三角形の切り始めるＦ点に糸刃を通し、糸刃を固定する（最初に円形を切り抜き、次に三角形を切断してもよい）。
７．開けた▲１▼、▲２▼に、それぞれネジ棒を通す。▲１▼に通したネジ棒は、糸刃後部の中側物差し（５ｂ）のネジ穴にはめ込む。▲２▼に通したネジ棒は、糸刃前部の中側物差し（４ｂ）を伸ばしネジ穴にはめ込む。
８．切り始める。切り始めＧ点に達したら一時停止する。
９．ネジ棒をネジ穴から外し▲１▼、▲２▼から抜き取り、▲３▼、▲４▼に通し変え板を回転して▲３▼は５ｂのネジ穴、▲４▼は４ｂのネジ穴にはめ込み、切り始めＨ点に達したら一時停止する。
１０．ネジ棒をネジ穴から外し▲３▼、▲４▼から抜き取り、▲５▼、▲６▼に通し変え板を回転して▲５▼は５ｂのネジ穴、▲６▼は４ｂのネジ穴にはめ込み、切り始めＦ点に達したら停止する（三角形が抜き取れ切断完了）。
１１．糸刃を抜き取る。
１２．三角形中側の円形を切り始めるＩ点に糸刃を通し、糸刃を固定する。
１３．円形の中心点となる▲７▼にネジ棒を通し、糸刃の左、右側何れかの中側物差し（２ｂ、３ｂ）をＸｃｍ移動してネジ穴に差し込み固定する（円形切断を左、右回りするかによる）。
１４．テーブルの裏側にあるネジで中側物差しを固定する。
１５．切り始める。一周したら停止（円形が抜き取れる）。
１６．糸刃を抜き取り切断完了。【００１１】円形の中側を三角形に切り抜く事例（７−３  電動糸鋸装置用）
１．糸刃を挟んだ左右前後の伸縮式物差し（２、３、４、５）を使用する。
２．切断する板上に、コンパスと定規を使って円形図と中に三角形を直接書くか、または紙上に書いた図を板に貼り付ける。
３．三角点Ｊ、Ｋ、Ｌから、それぞれ数センチ程度離れたｊ点、ｋ点、ｌ点と円形を切り始めるＭ点にも糸刃を通す穴を開ける。
４．直線に切断するＪ〜Ｋ、Ｋ〜Ｌ、Ｌ〜Ｊの延長した点（▲１▼、▲３▼、▲５▼は糸刃から５ｃまでの長さが必要。▲２▼、▲４▼、▲６▼は糸刃から４ｃまでの長さが必要）と円形の中心点となる▲７▼にもネジ棒を刺す穴を開ける。
５．三角形の切り始めるｊ点に糸刃を通し、糸刃を固定する。
６．ネジ棒をそれぞれ▲１▼、▲２▼に通す。▲１▼のネジ棒は、糸刃後部の中側物差し（５ｂ）のネジ穴にはめ込み、▲２▼のネジ棒は、糸刃前部の中側物差し（４ｂ）を伸ばしネジ穴にはめ込み固定する。
７．切り始める。Ｋ点に達したら一時停止し糸刃を抜き取る。
８．次に三角形のｋ点に糸刃を通し、糸刃を固定する。
９．ネジ穴に固定していたネジ棒を外し、▲３▼、▲４▼に通し変える。板を回転して▲３▼のネジ棒は５ｂのネジ穴、▲４▼は４ｂのネジ穴にはめ込み固定する。
１０．切り始める。Ｌ点に達したら一時停止し糸刃を抜き取る。
１１．三角形のｌ点に糸刃を通し、糸刃を固定する。
１２．ネジ穴に固定していたネジ棒を外し、▲５▼、▲６▼に通し変える。板を回転して▲５▼のネジ棒は５ｂのネジ穴、▲６▼は４ｂのネジ穴にはめ込み固定する。
１３．切り始める。Ｊ点に達したら一時停止し糸刃を抜き取る。
１４．次に円形の中心点となる▲７▼にネジ棒を通す。
１５．糸刃の左、右側何れかの中側物差しのネジ穴を円形の中心点となるＸｃｍ移動して固定（円形切断を左、右回りするかによる）。
１６．▲７▼に通したネジ棒をネジ穴にはめ込み固定する。
１７．テーブルの裏側にあるネジで中側物差しを固定する。
１８．切り始め一周したら停止。糸刃を外しネジ棒も外す（円形の切断完了）。
１９．切り取った円形板に残した三角形の切り残し部分を切る。
２０．ｊ点に糸刃を通し、糸刃を固定し、ｊ点からＪ点まで残した数センチをフリーハンドで切断し一時停止する。
２１．板を回転して糸刃をｌ点までもっていきＬ点までフリーハンドで切断し一時停止する。
２２．次に板を回転して糸刃をｋ点までもっていきＫ点までフリーハンドで切断し停止（三角形を切り抜く）。
２３．７−３の場合は、円形の中心点となる▲７▼を最後まで残すことが重要である。また、▲１▼、▲２▼、▲３▼、▲４▼、▲５▼、▲６▼の穴位置を円形の内にした場合、円形切断を先に行っても良いが、穴の痕跡が残り埋める必要ある。
２４．糸刃を抜き取り切断完了。【００１２】一定幅の切断方法（図８  電動糸鋸装置、電動バンド式鋸装置共用）
１．糸刃を挟んだ左右の伸縮式物差し（２、３）何れかを選択し背もたれ（図３）を取り付け使用する。
２．８−１は、板を幅の狭いものに切断する図である。
３．左側の伸縮式物差し（２）を使用する場合。
４．中側物差し（２ｂ）の穴（２ｄ）とネジ穴（２ｃ）に、背もたれに付いている突起物（１１）とネジ棒（１０）を差し込みネジ棒を固定する（背もたれに付いている突起物（１１）を穴（２ｄ）に差し込むことで９０度の角度に固定される）。
５．切断したい幅まで中側物差しを伸ばし、テーブルの裏側にあるネジ（２ｆ）で中側物差しを固定する。
６．切断する板（１３）を背もたれの背に合わせ押して切っていく。
７．８−２は、板が大きく、幅の広いものに切断する図である。
８．中側物差し（２ｂ）の穴（２ｇ）とネジ穴（２ｅ）に背もたれを取り付け、板が大きさに合わせ背もたれの背の部品（３−５）を前後に調整し固定する（切断する板が安定する）。
９．切断したい幅まで中側物差しを伸ばし、テーブルの裏側にあるネジ（２ｆ）で中側物差しを固定する。
１０．切断する板（１３）を背もたれの背に合わせ押して切っていく。
１１．板を切り抜けたら停止。【００１３】傾斜角の切断方法（図９  電動糸鋸装置、電動バンド式鋸装置共用）
１．糸刃を挟んだ前の伸縮式物差し（４）に角度変更背もたれ（図４）を取り付け使用する。
２．切断する板幅の大きい場合は４ｅのネジ穴、小さい場合は４ｃのネジ穴を選択する。角度変更背もたれのネジ棒（１２）を差し込み、次に分度目盛りで角度を調整しネジ固定を軽くしておく。
３．中側物差し（４ｂ）を押して、糸刃が中程のＶ形くびれに入り、奥に接触しないことを確認し固定する。
４．物差しを手前に引っ張り、切断する板を置く。
５．板を角度変更背もたれに密着させ、物差しと共に押し切断していく。
６．傾斜角の切断範囲はＶ形くびれの角度幅による。背もたれの角度を変更しながら糸刃に接触しない範囲まで可能であり、９−１は９０度角切断。９−２は３０度角切断である。
７．板を切り抜けたら停止。【００１４】「実施形態の効果」
この電動糸鋸装置を使用すれば、糸鋸の自由自在に切断できる従来からの特徴に加え、円形を利用した曲線や方形等に用いる円形、直線を規定通り正確に切断でき、従来できなかった一定幅の切断や傾斜角切断も正確にできることにより、電動鋸装置を使い分ける必要がなくなった。また、電動バンド式鋸装置にも同様の効果をもたらす。【００１５】「他の実施形態」
テーブルを回転式にすると、左右の伸縮式物差しが前後の伸縮式物差しの機能をもつ電動糸鋸装置になる。
【図面の簡単な説明】
【００１６】
【図１】電動糸鋸装置、電動バンド式鋸装置の発明テーブル図  １−１  電動糸鋸装置のテーブルに伸縮式物差しを十字状に設けた図  １−２  電動バンド式鋸装置のテーブルに伸縮式物差しを三方に設けた図  １−３  伸縮式物差しの拡大図（十字四方の伸縮式物差しに共通）  １−４  同伸縮式物差しの断面図
【図２】従来の電動鋸装置図  ２−１  電動丸鋸装置図  ２−２  電動糸鋸装置図  ２−３  電動バンド式鋸装置図
【図３】一定幅の切断にもちいる背もたれ図  ３−１  背もたれの物差し側からの横面図  ３−２  左側伸縮式物差しに固定した背もたれの上からの図  ３−３  同横側面図  ３−４  背もたれの分解図（物差しに固定する側）  ３−５  背もたれの分解図（板面に接する側）
【図４】傾斜角の切断にもちいる角度変更背もたれ図  ４−１  角度変更背もたれの物差し側からの横面図  ４−２  前側伸縮式物差しに固定した角度変更背もたれの上からの図  ４−３  同横側面図  ４−４  角度変更背もたれの分解図（物差しに固定する側）  ４−５  角度変更背もたれの分解図（板面に接する側）
【図５】円の切断図  ５−１  板に書いた切断する円  ５−２  円の中心点を左側中側物差しのネジ穴（２ｅ）を用いての切断図  ５−３  円の中心点にネジ棒を通し左側物差しのネジ穴に固定した側面図
【図６】直線の切断図  ６−１  板に書いた切断する直線図  ６−２  前、後側の伸縮式物差しネジ穴（４ｃ、５ｃ）を用いての切断図  ６−３  直線の始点先と終点先にネジ棒を通し、前後物差しのネジ穴に固定した側面図
【図７】円と直線を組み合わせた図の切断方法  ７−１  円線と直線を組み合わせた切断図  ７−２  三角形の中に円をくり抜く切断図  ７−３  円の中に三角形をくり抜く切断図
【図８】一定幅の直線切断図  ８−１  一定幅の狭い板の切断図  ８−２  一定幅の広い板の切断図
【図９】傾斜角切断図  ９−１  ９０度角の切断図  ９−２  ３０度角の切断図
【符号の説明】
【００１７】１      発明電動糸鋸装置のテーブル
２      糸刃左側の伸縮式物差し
２ａ    外側物差し
２ｂ    中側物差し（伸縮式）
２ｃ    円形切断時の中心点を固定、背もたれの固定するネジ穴
２ｄ    背もたれを９０度角に固定する突起をはめる穴
２ｅ    円形切断時の中心点を固定、背もたれの固定するネジ穴
２ｆ    テーブルの裏側に付いている中側物差しを固定するネジ
２ｇ    背もたれを９０度角に固定する突起をはめる穴
２ｈ    外側物差しをテーブルに固定するネジ
３      糸刃右側の伸縮式物差し
３ａ    外側物差し
３ｂ    中側物差し（伸縮式）
３ｃ    円形切断時の中心点を固定、背もたれの固定するネジ穴
３ｄ    背もたれを９０度角に固定する突起をはめる穴
３ｅ    円形切断時の中心点を固定、背もたれの固定するネジ穴
３ｆ    テーブルの裏側に付いている中側式物差しを固定するネジ棒
３ｇ    背もたれを９０度角に固定する突起をはめる穴
４      糸刃前側の伸縮式物差し
４ａ    外側物差し
４ｂ    中側物差し（伸縮式）
４ｃ    直線切断時の終点先を固定、角度変更背もたれを固定するネジ穴
４ｅ    直線切断時の終点先を固定、角度変更背もたれを固定するネジ穴
５      糸刃後側の伸縮式物差し
５ａ    外側物差し
５ｂ    中側物差し（伸縮式）
５ｃ    直線切断時の始点先を固定するネジ穴
５ｅ    直線切断時の始点先を固定するネジ穴
６      電動丸鋸装置の丸刃
６ａ    電動丸鋸装置のテーブル
７      電動糸鋸装置の糸刃
７ａ    電動糸鋸装置のテーブル
８      電動バンド式鋸装置のベルト状輪刃
８ａ    電動バンド式鋸装置のテーブル
９      発明電動バンド式鋸装置のテーブル
１０    背もたれを中側物差しに固定するネジ棒
１１    背もたれを９０度角に固定する突起
１２    角度変更背もたれを中側物差しに固定するネジ棒
１３    切断する板
１４    円形、直線切断する板を固定するネジ棒
１５    背もたれに使用するネジ棒を通す穴
【手続補正２】
【補正対象書類名】特許請求の範囲
【補正対象項目名】全文
【補正方法】変更
【補正の内容】
【特許請求の範囲】
【請求項１】
電動糸鋸装置のテーブル上にある糸刃を挟んだ左右前後の十字状に、伸縮式物差しをはめ込んでいる。伸縮式物差しの糸刃に近い端はＶ形に削り、十字状にはめ込んだ伸縮式物差しが互いに接することなく糸刃に近づけ、外側物差しはテーブルに固定し、中側物差しに伸縮機能を設けている。中側物差しの糸刃に近い箇所と遠い箇所にネジ棒を差し込み固定するネジ穴を設けている。二ヶ所に設けたネジ穴は、切断する板の大きさ、形状に合わせ中側物差しを伸縮しネジ穴を選択する。
糸刃を挟んで左右二方の伸縮式物差しの中側物差しに設けたネジ穴は、円形切断時に円の中心点に通したネジ棒を差し込み固定する。また、一定幅の切断にもちいる板の背もたれ（取り外し式）を取り付けるネジ棒を差し込み固定するものになる。一定幅の切断にもちいる板の背もたれは、二つの部品板とそれを固定するネジ棒から成り立っており、中側物差しに接する部品板は、半円形で背もたれを中側物差しに対し９０度角に固定するための突起とネジ棒を通す穴が付いている。半円形板に乗るＬ字形の板部品は、左右に移動できるよう半円形に接する面に長方形の溝が開いている。ネジ棒は、長方形の溝から下の半円形板の穴を通し中側物差しのネジ穴に差し込み固定する。
糸刃を挟んで前後二方の伸縮式物差しの中側物差しに設けたネジ穴は、直線切断時に用いる直線の前後を固定するネジ棒を差し込み固定する。また、前方の伸縮式物差しの中側物差しに設けたネジ穴は、板の傾斜角切断にもちいる角度更背もたれ（取り外し式）を取り付けるネジ棒を差し込み固定するものになる。角度変更背もたれは、二つの部品板とそれを固定するネジ棒から成り立っている。中側物差しに接する部品板は、半円形で切断角度用の分度目盛りと固定するためのネジ棒を通す穴が付いている。半円形板に乗るＬ字形板部品は、左右に移動できるよう半円形に接する面に長方形の溝が開いている。また、背もたれに糸刃が接触しないよう板と接する面側にＶ形のくびれを設けている。テーブルの四方に伸縮式物差しをはめ込み、板の形や大きさ、切断する形状に合わせ板を固定、また、背もたれを取り付けることで安定した切断機能を設けたことを特徴とする電動糸鋸装置。
【請求項２】
前記［請求項１］の伸縮式物差しを、電動バンド式鋸装置のテーブルのベルト状刃を挟んだ左右前の三方にはめ込んでいる。伸縮式物差しのベルト状刃に近い端はＶ形に削り、三方にはめ込んだ伸縮式物差しが互いに接することなくベルト状刃に近づけ外側物差しはテーブルに固定し、中側物差しに伸縮機能を設けている。中側物差しの刃に近い箇所と遠い箇所にネジ棒を差し込み固定するネジ穴を設けている。二ヶ所に設けたネジ穴は、切断する板の大きさ、形状に合わせ中側物差しを伸ばしネジ穴を選択する。
糸刃を挟んで左右二方の伸縮式物差しの中側物差しに設けたネジ穴は、円形切断時に円の中心点に通したネジ棒を差し込み固定する。また、一定幅の切断にもちいる板の背もたれ（取り外し式）を取り付けるネジ棒を差し込み固定するものである。一定幅の切断にもちいる板の背もたれは、二つの部品板とそれを固定するネジ棒から成り立っており、中側物差しに接する部品板は、半円形で背もたれを中側物差しに対し９０度角に固定するための突起とネジ棒を通す穴が付いている。半円形板に乗るＬ字形の板部品は、左右に移動できるよう半円形に接する面に長方形の溝が開いている。ネジ棒は、長方形の溝から下の半円形板の穴を通し中側物差しのネジ穴に差し込み固定する。
糸刃を挟んで前方の伸縮式物差しの中側物差しに設けたネジ穴は、板の傾斜角切断にもちいる角度変更背もたれ（取り外し式）を取り付けるネジ棒を差し込み固定するものである。角度変更背もたれは、二つの部品板とそれを固定するネジ棒から成り立っている。中側物差しに接する部品板は、半円形で切断角度用の分度目盛りと固定するためのネジ棒を通す穴が付いている。半円形板に乗るＬ字形板部品は、左右に移動できるよう半円形に接する面に長方形の溝が開いている。また、背もたれにベルト状刃が接触しないよう板と接する面側にＶ形のくびれを設けている。
テーブルの三方に伸縮式物差しをはめ込み、板の形や大きさ、切断する形状に合わせ板を固定、また、背もたれを取り付けることで安定した切断機能を設けたことを特徴とする電動バンド式鋸装置。
【手続補正４】
【補正対象書類名】図面
【補正対象項目名】全図
【補正方法】変更
【補正の内容】
【図１】
2005297529.tif 000012
【図２】
2005297529.tif 000013
【図３】
2005297529.tif 000014
【図４】
2005297529.tif 000015
【図５】
2005297529.tif 000016
【図６】
2005297529.tif 000017
【図７】
2005297529.tif 000018
【図８】
2005297529.tif 000019
【図９】
2005297529.tif 000020